(57)【特許請求の範囲】
【請求項１】
コンピュータに、
時刻情報と位置情報とを受け付け、
受け付けた前記時刻情報が示す時刻からの経過時間に応じて前記位置情報が示す位置に対して設定した範囲を示す情報を地図上に表示する際に、施設の施設情報を参照して、前記範囲内の所定の施設を強調表示する制御を行う、
処理を実行させることを特徴とする行方不明者捜索支援プログラム。
【請求項２】
前記所定の施設は、寺社、公園、病院のいずれかであることを特徴とする請求項１に記載の行方不明者捜索支援プログラム。
【請求項３】
前記範囲は、所定の移動速度または複数の速度候補の中から選択された移動速度と前記経過時間とに基づいて設定される範囲であることを特徴とする請求項１または２に記載の行方不明者捜索支援プログラム。
【請求項４】
前記コンピュータに、
天気情報を取得する処理を実行させ、
前記制御を行う処理は、
取得した前記天気情報が雨天を示す場合に、道路の屋根情報を参照して、前記範囲内の屋根付きの道路を強調表示することを特徴とする請求項１〜３のいずれか一つに記載の行方不明者捜索支援プログラム。
【請求項５】
前記制御を行う処理は、
道路の傾斜情報を参照して、前記範囲内の急勾配の道路を強調表示することを特徴とする請求項１〜４のいずれか一つに記載の行方不明者捜索支援プログラム。
【請求項６】
前記制御を行う処理は、
道路の階段情報を参照して、前記範囲内の階段が存在する道路を強調表示することを特徴とする請求項１〜５のいずれか一つに記載の行方不明者捜索支援プログラム。
【請求項７】
前記制御を行う処理は、
道路の交通量情報を参照して、前記範囲内の交通量が多い道路を強調表示することを特徴とする請求項１〜６のいずれか一つに記載の行方不明者捜索支援プログラム。
【請求項８】
前記コンピュータに、
前記施設情報を参照して、前記位置情報が示す位置からいずれかの施設までのルートを探索し、
前記経過時間に基づいて、探索した前記ルート上を所定の移動速度で移動した場合の到達位置を推定する、処理を実行させ、
前記制御を行う処理は、
推定した前記到達位置を示す情報を前記ルートとともに前記地図上に表示することを特徴とする請求項１〜７のいずれか一つに記載の行方不明者捜索支援プログラム。
【請求項９】
前記施設情報は、行方不明者を誘導する度合いを示す施設ごとの誘導率を含み、
前記探索する処理は、
前記位置情報が示す位置から誘導率が最大の施設までのルートを探索することを特徴とする請求項８に記載の行方不明者捜索支援プログラム。
【請求項１０】
前記推定する処理は、
道路の傾斜情報を参照して、前記ルート上の道路の勾配に基づいて、前記到達位置を推定することを特徴とする請求項８または９に記載の行方不明者捜索支援プログラム。
【請求項１１】
前記推定する処理は、
道路の階段情報を参照して、前記ルート上の道路に存在する階段の長さに基づいて、前記到達位置を推定することを特徴とする請求項８〜１０のいずれか一つに記載の行方不明者捜索支援プログラム。
【請求項１２】
前記推定する処理は、
道路の交通量情報を参照して、前記ルート上の道路の交通量に基づいて、前記到達位置を推定することを特徴とする請求項８〜１１のいずれか一つに記載の行方不明者捜索支援プログラム。
【請求項１３】
前記コンピュータに、
天気情報を取得する処理を実行させ、
前記推定する処理は、
取得した前記天気情報が雨天を示す場合に、道路の屋根情報を参照して、前記ルート上の道路が屋根付きであるか否かに基づいて、前記到達位置を推定することを特徴とする請求項８〜１２のいずれか一つに記載の行方不明者捜索支援プログラム。
【請求項１４】
コンピュータが、
時刻情報と位置情報とを受け付け、
受け付けた前記時刻情報が示す時刻からの経過時間に応じて前記位置情報が示す位置に対して設定した範囲を示す情報を地図上に表示する際に、施設の施設情報を参照して、前記範囲内の所定の施設を強調表示する制御を行う、
処理を実行することを特徴とする行方不明者捜索支援方法。
【請求項１５】
時刻情報と位置情報とを受け付け、
受け付けた前記時刻情報が示す時刻からの経過時間に応じて前記位置情報が示す位置に対して設定した範囲を示す情報を地図上に表示する際に、施設の施設情報を参照して、前記範囲内の所定の施設を強調表示する制御を行う、
制御部を有することを特徴とする情報処理装置。
【発明の詳細な説明】
【技術分野】
【０００１】
本発明は、行方不明者捜索支援プログラム、行方不明者捜索支援方法、および情報処理装置に関する。
【背景技術】
【０００２】
近年、例えば、認知症を患う高齢者の徘徊による行方不明が問題となっている。介護職員は、例えば、徘徊による行方不明が判明した時点で、家族や介護事業所などから連絡が入り、徘徊者の捜索にあたる。このとき、より効率的に徘徊者を捜索して早期に発見、保護することが重要である。
【０００３】
関連する先行技術としては、例えば、徘徊癖のある老人等の広域を不規則に移動する移動体の位置情報や移動時の状況に関する情報を検索依頼者に連絡するシステムがある。また、外出徘徊者の歩行速度と、施設周辺地図情報と、外出時刻からの経過時間とを参照して、外出した徘徊者の移動範囲を画面の地図上に表示する技術がある。
【先行技術文献】
【特許文献】
【０００４】
【特許文献１】特開２００３−６５７８０号公報
【特許文献２】特開２００１−８４４７０号公報
【発明の概要】
【発明が解決しようとする課題】
【０００５】
しかしながら、従来技術では、徘徊などにより行方不明となった者の捜索に時間や手間がかかり、早期に発見、保護することができない場合がある。
【０００６】
一つの側面では、本発明は、行方不明者の捜索を支援する行方不明者捜索支援プログラム、行方不明者捜索支援方法、および情報処理装置を提供することを目的とする。
【課題を解決するための手段】
【０００７】
本発明の一側面によれば、時刻情報と位置情報とを受け付け、受け付けた前記時刻情報が示す時刻からの経過時間に応じて前記位置情報が示す位置に対して設定した範囲を示す情報を地図上に表示する際に、施設の施設情報を参照して、前記範囲内の所定の施設を強調表示する制御を行う行方不明者捜索支援プログラム、行方不明者捜索支援方法、および情報処理装置が提案される。
【発明の効果】
【０００８】
本発明の一態様によれば、行方不明者の捜索を支援することができるという効果を奏する。
【図面の簡単な説明】
【０００９】
【図１】図１は、実施の形態にかかる行方不明者捜索支援方法の一実施例を示す説明図である。
【図２】図２は、行方不明者捜索支援システム２００のシステム構成例を示す説明図である。
【図３】図３は、サーバ２０１のハードウェア構成例を示すブロック図である。
【図４】図４は、クライアント装置２０２のハードウェア構成例を示すブロック図である。
【図５】図５は、被監視者情報ＤＢ５００の記憶内容の一例を示す説明図である。
【図６】図６は、ランドマーク情報ＤＢ６００の記憶内容の一例を示す説明図である。
【図７】図７は、道路傾斜情報テーブル７００の記憶内容の一例を示す説明図である。
【図８】図８は、距離変数に基づく距離の計算例を示す説明図である。
【図９】図９は、交通量・道幅情報テーブル９００の記憶内容の一例を示す説明図である。
【図１０】図１０は、天気・屋根情報テーブル１０００の記憶内容の一例を示す説明図である。
【図１１】図１１は、気温情報テーブル１１００の記憶内容の一例を示す説明図である。
【図１２】図１２は、街灯情報テーブル１２００の記憶内容の一例を示す説明図である。
【図１３】図１３は、階段情報テーブル１３００の記憶内容の一例を示す説明図である。
【図１４】図１４は、通行人情報テーブル１４００の記憶内容の一例を示す説明図である。
【図１５】図１５は、交番等情報テーブル１５００の記憶内容の一例を示す説明図である。
【図１６】図１６は、バス情報テーブル１６００の記憶内容の一例を示す説明図である。
【図１７】図１７は、時刻表の具体例を示す説明図である。
【図１８】図１８は、介護スタッフ位置情報テーブル１８００の記憶内容の一例を示す説明図である。
【図１９】図１９は、地図情報ＤＢ１９００の記憶内容の一例を示す説明図である。
【図２０】図２０は、行方不明者設定画面の画面例を示す説明図である。
【図２１】図２１は、サーバ２０１の機能的構成例を示すブロック図である。
【図２２】図２２は、到達位置の推定例を示す説明図である。
【図２３】図２３は、施設マップの表示例を示す説明図である。
【図２４】図２４は、屋根マップの表示例を示す説明図である。
【図２５】図２５は、道路傾斜マップの表示例を示す説明図である。
【図２６】図２６は、階段マップの表示例を示す説明図である。
【図２７】図２７は、交通量マップの表示例を示す説明図である。
【図２８】図２８は、街灯マップの表示例を示す説明図である。
【図２９】図２９は、通行人マップの表示例を示す説明図である。
【図３０】図３０は、バス停マップの表示例を示す説明図である。
【図３１】図３１は、介護スタッフマップの表示例を示す説明図である。
【図３２】図３２は、探索ルートマップの表示例を示す説明図である。
【図３３】図３３は、編集画面の画面例を示す説明図（その１）である。
【図３４】図３４は、編集画面の画面例を示す説明図（その２）である。
【図３５】図３５は、サーバ２０１の行方不明者捜索支援処理手順の一例を示すフローチャートである。
【図３６】図３６は、マップ生成処理の具体的処理手順の一例を示すフローチャート（その１）である。
【図３７】図３７は、マップ生成処理の具体的処理手順の一例を示すフローチャート（その２）である。
【図３８】図３８は、マップ生成処理の具体的処理手順の一例を示すフローチャート（その３）である。
【発明を実施するための形態】
【００１０】
以下に図面を参照して、本発明にかかる行方不明者捜索支援プログラム、行方不明者捜索支援方法、および情報処理装置の実施の形態を詳細に説明する。
【００１１】
（行方不明者捜索支援方法の一実施例）
図１は、実施の形態にかかる行方不明者捜索支援方法の一実施例を示す説明図である。図１において、情報処理装置１０１は、行方不明者の捜索を支援するコンピュータである。情報処理装置１０１は、例えば、サーバであってもよく、また、ＰＣ（Ｐｅｒｓｏｎａｌ  Ｃｏｍｐｕｔｅｒ）、スマートフォン、タブレット端末などであってもよい。
【００１２】
行方不明者は、例えば、徘徊により行方不明となった高齢者や迷子などである。高齢者や子供は、迷っている間に体力を消耗して衰弱したり、熱中症による脱水、交通事故、転倒による骨折などの命にかかわる危険がある。このため、高齢者や子供が行方不明となったことが判明すると、できるだけ早期に発見、保護することが重要である。
【００１３】
例えば、徘徊対策として、認知症の高齢者などの靴に、ＧＰＳ（Ｇｌｏｂａｌ  Ｐｏｓｉｔｉｏｎｉｎｇ  Ｓｙｓｔｅｍ）追跡機能を有する機器を取り付けることが考えられる。ところが、コスト面の問題、機器の故障、徘徊時は靴を履かないといった課題があり、十分な解決策になっていない。
【００１４】
また、行方不明が判明した時点からの経過時間をもとに捜索範囲を絞り込むことも考えられるが、家族や介護職員などの捜索者は、捜索範囲内のどの辺りを優先的に捜索すればよいのか判断することが難しい。このため、捜索範囲を手当たり次第に捜索することになり、依然として、行方不明者の捜索に時間や手間がかかり、早期に発見、保護することができない場合がある。
【００１５】
そこで、本実施の形態では、捜索範囲を絞り込むとともに、捜索範囲内で優先的に捜索すべき箇所を判断しやすくする行方不明者捜索支援方法について説明する。以下、情報処理装置１０１の行方不明者捜索支援処理例について説明する。ここでは、認知症の高齢者などが徘徊により行方不明となった場合を例に挙げて説明する。
【００１６】
（１）情報処理装置１０１は、時刻情報と位置情報とを受け付ける。ここで、時刻情報は、行方不明となった時刻を示す情報である。行方不明となった時刻としては、例えば、家族や介護職員などが、行方不明となったことに気付いた時刻や、行方不明となる前に最後に見かけた時刻などが指定される。
【００１７】
また、位置情報は、行方不明となった位置を示す情報である。行方不明となった位置としては、例えば、行方不明者の自宅や、行方不明となる前に家族や介護職員などが最後に見かけた場所などが指定される。情報処理装置１０１は、例えば、外部のコンピュータから時刻情報と位置情報を受け付けてもよく、また、ユーザの操作入力により自装置に直接入力された時刻情報と位置情報を受け付けることにしてもよい。
【００１８】
ここでは、時刻情報として、行方不明となったことに家族や介護職員が気付いた時刻「２０１５年５月１日１０時００分」を示す情報を受け付け、位置情報として、行方不明者の自宅「○○さん自宅」を示す情報を受け付けた場合を例に挙げて説明する。
【００１９】
（２）情報処理装置１０１は、受け付けた位置情報が示す位置に対して、受け付けた時刻情報が示す時刻からの経過時間に応じた範囲を設定する。ここで、範囲は、行方不明となった時刻から現在時刻までの経過時間をもとに推定される行方不明者の移動可能な範囲である。
【００２０】
具体的には、例えば、まず、情報処理装置１０１は、受け付けた時刻情報が示す時刻から現在時刻までの経過時間を算出する。つぎに、情報処理装置１０１は、算出した経過時間と、行方不明者の平均移動速度とを掛け合わせることにより、行方不明者の移動距離を算出する。平均移動速度としては、予め設定された所定の移動速度、例えば、認知症を患う高齢者の平均的な移動速度（例えば、３ｋｍ／ｈ）を用いることにしてもよい。
【００２１】
そして、情報処理装置１０１は、例えば、受け付けた位置情報が示す位置を中心として、算出した移動距離を半径とする円形の範囲を設定する。これにより、行方不明となった時刻から現在時刻までの経過時間に応じて拡大される範囲を、行方不明者の移動可能な範囲として設定することができる。
【００２２】
ここでは、現在時刻を「２０１５年５月１日１１時００分」とすると、経過時間は「１時間」となる。また、行方不明者の平均移動速度を「３ｋｍ／ｈ」とすると、移動距離は「３ｋｍ」となる。このため、行方不明者の自宅を中心として、半径「３ｋｍ」の円形の領域が設定される。
【００２３】
なお、範囲の形状は円形に限らない。例えば、範囲の形状は矩形であってもよい。この場合、例えば、位置情報が示す位置から、各頂点までの距離、あるいは、各辺までの距離として、行方不明者の移動距離を用いることにしてもよい。
【００２４】
（３）情報処理装置１０１は、設定した範囲を示す情報を地図上に表示する際に、施設の施設情報を参照して、設定した範囲内の所定の施設を強調表示する制御を行う。ここで、施設情報は、例えば、施設の名称と位置との対応関係を示す情報である。所定の施設は、例えば、寺社、公園、病院、友人宅などの行方不明者が立ち寄りそうな施設である。また、所定の施設は、交番、警察署、消防署、市役所、町役場、老人福祉施設などの、徘徊者らしき人物を見かけた際に積極的に保護してくれる施設であってもよい。
【００２５】
図１の例では、表示画面１１０に地図１２０が表示されている。地図１２０は、行方不明者の自宅を含む地域を一定の割合で縮小し、図形や記号などを用いて平面上に表した図である。なお、表示画面１１０は、情報処理装置１０１が有することにしてもよく、また、情報処理装置１０１に接続された外部のコンピュータが有することにしてもよい。
【００２６】
地図１２０において、吹き出し１２１は行方不明者の自宅の位置を示している。また、地図１２０には、行方不明者の自宅を中心として、半径「３ｋｍ」の円形の範囲１２２が表示されている。範囲１２２は、行方不明となった時刻からの経過時間に応じて設定された範囲の境界線を示しており、行方不明者の移動可能な範囲を示している。
【００２７】
また、地図１２０において、範囲１２２内に位置する神社、病院、公園が強調表示されている。具体的には、範囲１２２内の「●●神社」の位置を示す吹き出し１２３が表示されている。また、範囲１２２内の「◇◇病院」の位置を示す吹き出し１２４が表示されている。また、範囲１２２内の「●●公園」の位置を示す吹き出し１２５が表示されている。なお、各吹き出し１２３〜１２５には、施設名が表示されている。
【００２８】
このように、情報処理装置１０１によれば、行方不明となった位置に対して、行方不明となった時刻からの経過時間に応じた範囲を設定することができる。これにより、行方不明時刻から現在時刻までの経過時間に応じて拡大される範囲を、行方不明者が移動可能な範囲として設定することができる。
【００２９】
また、情報処理装置１０１によれば、設定した範囲を示す情報を地図上に表示する際に、施設の施設情報を参照して、その範囲内の所定の施設を強調表示する制御を行うことができる。これにより、行方不明者が移動可能な範囲を地図上に表示するとともに、その範囲に含まれる、行方不明者が立ち寄りそうな施設や、徘徊者らしき人物を見かけた際に積極的に保護してくれる施設を強調表示することができる。
【００３０】
このため、家族や介護職員などの捜索者は、捜索範囲を絞り込むことができるとともに、捜索範囲内で優先的に捜索すべき箇所を判断して効率的な捜索を行うことができる。図１の例では、捜索者は、地図１２０上の範囲１２２内に捜索範囲を絞り込むことができるとともに、範囲１２２内で行方不明者が立ち寄りそうな「●●神社」、「◇◇病院」、「●●公園」を優先的に捜索して、行方不明者の早期発見、保護につなげることができる。
【００３１】
なお、地図１２０上に範囲１２１と同心円状に表示された２つの点線円は、行方不明者の自宅を中心とする半径「１ｋｍ」の範囲と半径「２ｋｍ」の範囲をそれぞれ示している。例えば、捜索者は、地図１２０上に表示された２つの点線円を目安にして、行方不明者の自宅から各施設までのおおよその距離を判断することができる。
【００３２】
（行方不明者捜索支援システム２００のシステム構成例）
つぎに、実施の形態にかかる行方不明者捜索支援システム２００のシステム構成例について説明する。以下の説明では、図１に示した情報処理装置１０１を、行方不明者捜索支援システム２００のサーバ２０１に適用した場合を例に挙げて説明する。
【００３３】
図２は、行方不明者捜索支援システム２００のシステム構成例を示す説明図である。図２において、行方不明者捜索支援システム２００は、サーバ２０１と、複数のクライアント装置２０２（図２では、３台）と、を含む構成である。行方不明者捜索支援システム２００において、サーバ２０１および複数のクライアント装置２０２は、有線または無線のネットワーク２１０を介して接続される。ネットワーク２１０は、例えば、インターネット、移動体通信網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などである。
【００３４】
ここで、サーバ２０１は、行方不明者の捜索を支援するコンピュータである。クライアント装置２０２は、行方不明者捜索支援システム２００の利用者が使用するＰＣ、スマートフォン、タブレット端末などのコンピュータである。利用者は、例えば、老人ホームや介護施設の介護スタッフ、訪問介護を行う介護スタッフ（ホームヘルパー）、行方不明者の家族などである。
【００３５】
行方不明者捜索支援システム２００において、サーバ２０１は、例えば、クライアント装置２０２から各種画面等の表示要求を受信すると、各種画面等の画面情報をクライアント装置２０２に送信する。この結果、クライアント装置２０２の表示画面（例えば、後述の図４に示すディスプレイ４０６）に各種画面等が表示される。
【００３６】
（サーバ２０１のハードウェア構成例）
図３は、サーバ２０１のハードウェア構成例を示すブロック図である。図３において、サーバ２０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３７】
ここで、ＣＰＵ３０１は、サーバ２０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３８】
Ｉ／Ｆ３０３は、通信回線を通じてネットワーク２１０に接続され、ネットワーク２１０を介して外部のコンピュータ（例えば、図２に示したクライアント装置２０２）に接続される。そして、Ｉ／Ｆ３０３は、ネットワーク２１０と内部のインターフェースを司り、外部のコンピュータからのデータの入出力を制御する。Ｉ／Ｆ３０３には、例えば、モデムやＬＡＮアダプタなどを採用することができる。
【００３９】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４０】
なお、サーバ２０１は、上述した構成部のほか、例えば、ＳＳＤ（Ｓｏｌｉｄ  Ｓｔａｔｅ  Ｄｒｉｖｅ）、キーボード、マウス、ディスプレイ等を有することにしてもよい。
【００４１】
（クライアント装置２０２のハードウェア構成例）
図４は、クライアント装置２０２のハードウェア構成例を示すブロック図である。図４において、クライアント装置２０２は、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００４２】
ここで、ＣＰＵ４０１は、クライアント装置２０２の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４３】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００４４】
Ｉ／Ｆ４０５は、通信回線を通じてネットワーク２１０に接続され、ネットワーク２１０を介して外部のコンピュータ（例えば、図２に示したサーバ２０１）に接続される。そして、Ｉ／Ｆ４０５は、ネットワーク２１０と内部のインターフェースを司り、外部のコンピュータからのデータの入出力を制御する。
【００４５】
ディスプレイ４０６は、カーソル、アイコンあるいはツールボックスをはじめ、文書、画像、機能情報などのデータを表示する。ディスプレイ４０６は、例えば、液晶ディスプレイ、有機ＥＬ（Ｅｌｅｃｔｒｏｌｕｍｉｎｅｓｃｅｎｃｅ）ディスプレイ、ＣＲＴ（Ｃａｔｈｏｄｅ  Ｒａｙ  Ｔｕｂｅ）などを採用することができる。
【００４６】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００４７】
なお、クライアント装置２０２は、上述した構成部のうち、例えば、ディスクドライブ４０３、ディスク４０４などを有さないことにしてもよい。また、クライアント装置２０２は、ＧＰＳ衛星からの電波を受信して、自装置の現在位置を示す位置情報を出力するＧＰＳユニットを有することにしてもよい。
【００４８】
（被監視者情報ＤＢ５００の記憶内容）
つぎに、サーバ２０１が有する被監視者情報ＤＢ（データベース）５００の記憶内容について説明する。被監視者情報ＤＢ５００は、例えば、図３に示したメモリ３０２、ディスク３０５などの記憶装置により実現される。
【００４９】
図５は、被監視者情報ＤＢ５００の記憶内容の一例を示す説明図である。図５において、被監視者情報ＤＢ５００は、被監視者ＩＤ、氏名、年齢、性別、住所および連絡先のフィールドを有し、各フィールドに情報を設定することで、被監視者情報（例えば、被監視者情報５００−１，５００−２）をレコードとして記憶する。
【００５０】
ここで、被監視者ＩＤは、被監視者を識別する識別子である。被監視者は、監視対象となる者であり、例えば、認知症を患う高齢者などである。氏名は、被監視者の氏名である。年齢は、被監視者の年齢である。性別は、被監視者の性別である。住所は、被監視者の住所である。連絡先は、被監視者に関する連絡事項を知らせる連絡先の氏名、電話番号である。連絡先としては、例えば、被監視者の家族の氏名、電話番号が設定される。
【００５１】
（ランドマーク情報ＤＢ６００の記憶内容）
つぎに、サーバ２０１が有するランドマーク情報ＤＢ６００の記憶内容について説明する。ランドマーク情報ＤＢ６００は、例えば、メモリ３０２、ディスク３０５などの記憶装置により実現される。
【００５２】
図６は、ランドマーク情報ＤＢ６００の記憶内容の一例を示す説明図である。図６において、ランドマーク情報ＤＢ６００は、被監視者ＩＤ、種別、名称、住所、連絡先および誘導率のフィールドを有し、各フィールドに情報を設定することで、ランドマーク情報（例えば、ランドマーク情報６００−１）をレコードとして記憶する。
【００５３】
ここで、被監視者ＩＤは、被監視者を識別する識別子である。種別は、ランドマークの種別である。ランドマークは、例えば、寺社、公園、病院、友人宅などの、被監視者が立ち寄りそうな施設である。名称は、ランドマークの名称である。住所は、ランドマークの住所である。連絡先は、ランドマークの電話番号である。誘導率は、ランドマークが被監視者を誘導する度合いを示す値である。ここでは、誘導率が高いほど、ランドマークが被監視者を誘導する度合いが高いことを意味する。
【００５４】
（道路傾斜情報テーブル７００の記憶内容）
つぎに、サーバ２０１が有する道路傾斜情報テーブル７００の記憶内容について説明する。道路傾斜情報テーブル７００は、例えば、メモリ３０２、ディスク３０５などの記憶装置により実現される。
【００５５】
図７は、道路傾斜情報テーブル７００の記憶内容の一例を示す説明図である。図７において、道路傾斜情報テーブル７００は、傾斜レベル、速度変数および距離変数のフィールドを有し、各フィールドに情報を設定することで、道路傾斜情報７００−１〜７００−９をレコードとして記憶する。
【００５６】
傾斜レベルは、道路の勾配、すなわち、水平面に対する傾きの度合いを示す。傾斜レベル「１」は、勾配なし（平地）を示す。２以上の傾斜レベルは、上り勾配（上り坂）を示し、傾斜レベルが高いほど上り勾配が大きいことを示す。−１以下の傾斜レベルは、下り勾配（下り坂）を示し、傾斜レベルが低いほど下り勾配が大きいことを示す。
【００５７】
ここで、勾配のある道路を移動する際の高齢者の移動速度は、上り勾配、下り勾配のいずれであっても、平地を移動する場合に比べて低下する傾向にある。速度変数は、各傾斜レベルの道路を移動する際の高齢者の移動速度の低下度合いを示す（単位：％）。例えば、傾斜レベル「４」の速度変数「３０％」は、平地を移動する場合に比べて移動速度が７割ダウンすることを示している。
【００５８】
また、本実施の形態では、後述する「到達位置」を推定する際に、移動速度がｘ割ダウンする道路の距離を、実距離のｘ割分延長された距離であるとみなすことができる。例えば、移動速度が７割ダウンする道路の距離は、実距離の７割分延長された距離であるとみなす。距離変数は、各傾斜レベルに対応する移動速度の低下度合いに応じた距離の延長分を示す（単位：％）。
【００５９】
ここで、図８を用いて、距離変数に基づく距離の計算例について説明する。
【００６０】
図８は、距離変数に基づく距離の計算例を示す説明図である。図８において、区間８０１は、傾斜レベル「４」の道路を示している。区間８０１の実距離は「１００ｍ」である。傾斜レベル「４」の場合、速度変数は「３０％」であり、距離変数は「１７０％」である。このため、区間８０１の距離Ａは、実距離「１００ｍ」の７割分延長された距離であるとみなして、「距離Ａ＝実距離×距離変数×１／１００＝１００ｍ×１．７＝１７０ｍ」となる。
【００６１】
（交通量・道幅情報テーブル９００の記憶内容）
つぎに、サーバ２０１が有する交通量・道幅情報テーブル９００の記憶内容について説明する。交通量・道幅情報テーブル９００は、例えば、メモリ３０２、ディスク３０５などの記憶装置により実現される。
【００６２】
図９は、交通量・道幅情報テーブル９００の記憶内容の一例を示す説明図である。図９において、交通量・道幅情報テーブル９００は、交通量レベル、道幅レベル、速度変数および距離変数のフィールドを有し、各フィールドに情報を設定することで、交通量・道幅情報９００−１〜９００−１５をレコードとして記憶する。
【００６３】
交通量レベルは、道路上を走行する車両の交通量を示す。交通量レベルが高いほど、交通量が多いことを示す。道幅レベルは、道路の道幅を示す。道幅レベルが高いほど、道路の道幅が広いことを示す。ここで、高齢者の移動速度は、交通量が多いほど低下し、さらに、道幅が狭いほど低下する傾向にある。
【００６４】
速度変数は、交通量レベルと道幅レベルとの組合せに対応する道路を移動する際の高齢者の移動速度の低下度合いを示す（単位：％）。例えば、交通量レベル「５」と道幅レベル「１」との組合せに対応する速度変数「３０％」は、交通量が少なく道幅が広い道路を移動する場合に比べて移動速度が７割ダウンすることを示している。距離変数は、交通量レベルと道幅レベルとの組合せに対応する移動速度の低下度合いに応じた距離の延長分を示す（単位：％）。
【００６５】
（天気・屋根情報テーブル１０００の記憶内容）
つぎに、サーバ２０１が有する天気・屋根情報テーブル１０００の記憶内容について説明する。天気・屋根情報テーブル１０００は、例えば、メモリ３０２、ディスク３０５などの記憶装置により実現される。
【００６６】
図１０は、天気・屋根情報テーブル１０００の記憶内容の一例を示す説明図である。図１０において、天気・屋根情報テーブル１０００は、天候、屋根、速度変数および距離変数のフィールドを有し、各フィールドに情報を設定することで、天気・屋根情報１０００−１〜１０００−６をレコードとして記憶する。
【００６７】
天候は、雨、くもり、晴れなどの天候を示す。屋根は、雨、日射などを防ぐ歩行者用の屋根が道路に設けられているか否かを示す。屋根「あり」は屋根付きの道路を示し、屋根「なし」は屋根なしの道路を示す。ここで、雨天時の高齢者の移動速度は、晴れやくもりのときに比べて低下する傾向にある。ただし、道路が屋根付きであれば移動速度の低下度合いは小さくなる。
【００６８】
速度変数は、天候と屋根の有無との組合せに対応する道路を移動する際の高齢者の移動速度の低下度合いを示す（単位：％）。例えば、天候「雨」と屋根「なし」との組合せに対応する速度変数「２０％」は、晴れやくもりのときに道路を移動する場合に比べて移動速度が８割ダウンすることを示している。距離変数は、天候と屋根の有無との組合せに対応する移動速度の低下度合いに応じた距離の延長分を示す（単位：％）。
【００６９】
（気温情報テーブル１１００の記憶内容）
つぎに、サーバ２０１が有する気温情報テーブル１１００の記憶内容について説明する。気温情報テーブル１１００は、例えば、メモリ３０２、ディスク３０５などの記憶装置により実現される。
【００７０】
図１１は、気温情報テーブル１１００の記憶内容の一例を示す説明図である。図１１において、気温情報テーブル１１００は、気温、速度変数および距離変数のフィールドを有し、各フィールドに情報を設定することで、気温情報１１００−１〜１１００−５をレコードとして記憶する。
【００７１】
気温は、大気の温度を示す（単位：度）。ここで、真夏日などの気温が高いとき、あるいは、真冬日などの気温が低いときの高齢者の移動速度は、過ごしやすい気温（例えば、２０度）のときに比べて低下する傾向にある。速度変数は、各気温のときの道路を移動する際の高齢者の移動速度の低下度合いを示す（単位：％）。例えば、気温「４０度」のときの速度変数「４０％」は、過ごしやすい気温のときに道路を移動する場合に比べて移動速度が６割ダウンすることを示している。距離変数は、各気温に対応する移動速度の低下度合いに応じた距離の延長分を示す（単位：％）。
【００７２】
（街灯情報テーブル１２００の記憶内容）
つぎに、サーバ２０１が有する街灯情報テーブル１２００の記憶内容について説明する。街灯情報テーブル１２００は、例えば、メモリ３０２、ディスク３０５などの記憶装置により実現される。
【００７３】
図１２は、街灯情報テーブル１２００の記憶内容の一例を示す説明図である。図１２において、街灯情報テーブル１２００は、時間帯、街灯数レベル、速度変数および距離変数のフィールドを有し、各フィールドに情報を設定することで、街灯情報（例えば、街灯情報１２００−１〜１２００−３）をレコードとして記憶する。
【００７４】
時間帯は、１日を１時間ごとに区切った時間帯である。街灯数レベルは、道路に設けられた街灯の数の多さを示す。街灯数レベルが高いほど、街灯の数が多いことを示す。ここで、夕方から明け方くらいまでの時間帯は暗くなって歩きにくいため、高齢者の移動速度は、他の時間帯に比べて低下する傾向にある。ただし、道路に設けられた街灯の数が多いほど移動速度の低下度合いは小さくなる。
【００７５】
速度変数は、時間帯と街灯数との組合せに対応する道路を移動する際の高齢者の移動速度の低下度合いを示す（単位：％）。例えば、時間帯「０時」と街灯数レベル「１」との組合せに対応する速度変数「２０％」は、昼などの明るい時間帯に道路を移動する場合に比べて移動速度が８割ダウンすることを示している。距離変数は、時間帯と街灯数レベルとの組合せに対応する移動速度の低下度合いに応じた距離の延長分を示す（単位：％）。
【００７６】
（階段情報テーブル１３００の記憶内容）
つぎに、サーバ２０１が有する階段情報テーブル１３００の記憶内容について説明する。階段情報テーブル１３００は、例えば、メモリ３０２、ディスク３０５などの記憶装置により実現される。
【００７７】
図１３は、階段情報テーブル１３００の記憶内容の一例を示す説明図である。図１３において、階段情報テーブル１３００は、階段レベル、速度変数および距離変数のフィールドを有し、各フィールドに情報を設定することで、階段情報１３００−１〜１３００−５をレコードとして記憶する。
【００７８】
階段レベルは、道路に存在する階段の長さを示す。階段レベルが高いほど、階段が長いことを示す。ただし、階段レベル「１」は階段が存在しないことを示す。ここで、階段のある道路を移動する際の高齢者の移動速度は、階段のない道路を移動する場合に比べて低下する傾向にある。
【００７９】
速度変数は、各階段レベルに対応する道路を移動する際の高齢者の移動速度の低下度合いを示す（単位：％）。例えば、階段レベル「５」の速度変数「２０％」は、階段のない道路を移動する場合に比べて移動速度が８割ダウンすることを示している。また、距離変数は、各階段レベルに対応する移動速度の低下度合いに応じた距離の延長分を示す（単位：％）。
【００８０】
（通行人情報テーブル１４００の記憶内容）
つぎに、サーバ２０１が有する通行人情報テーブル１４００の記憶内容について説明する。通行人情報テーブル１４００は、例えば、メモリ３０２、ディスク３０５などの記憶装置により実現される。
【００８１】
図１４は、通行人情報テーブル１４００の記憶内容の一例を示す説明図である。図１４において、通行人情報テーブル１４００は、通行人レベル、速度変数および距離変数のフィールドを有し、各フィールドに情報を設定することで、通行人情報１４００−１〜１４００−５をレコードとして記憶する。
【００８２】
通行人レベルは、道路を通行する人の量を示す。通行人レベルが高いほど、通行人が多いことを示す。ここで、通行人の多い道路を移動する際の高齢者の移動速度は、通行人の少ない道路を移動する場合に比べて低下する傾向にある。
【００８３】
速度変数は、各通行人レベルに対応する道路を移動する際の高齢者の移動速度の低下度合いを示す（単位：％）。例えば、通行人レベル「５」の速度変数「２０％」は、通行人の少ない道路を移動する場合に比べて移動速度が８割ダウンすることを示している。また、距離変数は、各通行人レベルに対応する移動速度の低下度合いに応じた距離の延長分を示す（単位：％）。
【００８４】
（交番等情報テーブル１５００の記憶内容）
つぎに、サーバ２０１が有する交番等情報テーブル１５００の記憶内容について説明する。交番等情報テーブル１５００は、例えば、メモリ３０２、ディスク３０５などの記憶装置により実現される。
【００８５】
図１５は、交番等情報テーブル１５００の記憶内容の一例を示す説明図である。図１５において、交番等情報テーブル１５００は、種別、名称、住所および連絡先のフィールドを有し、各フィールドに情報を設定することで、交番等情報（例えば、交番等情報１５００−１〜１５００−５）をレコードとして記憶する。
【００８６】
種別は、施設の種別である。施設は、例えば、交番、警察署、消防署、市役所、町役場、老人福祉施設などの、徘徊者らしき人物を見かけた際に積極的に保護してくれる施設である。名称は、施設の名称である。住所は、施設の住所である。連絡先は、施設の電話番号である。
【００８７】
（バス情報テーブル１６００の記憶内容）
つぎに、サーバ２０１が有するバス情報テーブル１６００の記憶内容について説明する。バス情報テーブル１６００は、例えば、メモリ３０２、ディスク３０５などの記憶装置により実現される。
【００８８】
図１６は、バス情報テーブル１６００の記憶内容の一例を示す説明図である。図１６において、バス情報テーブル１６００は、名称、バス会社、住所、連絡先および各系統の時刻表のフィールドを有し、各フィールドに情報を設定することで、バス情報（例えば、バス情報１６００−１〜１６００−５）をレコードとして記憶する。
【００８９】
名称は、バス停の名称（駅名）である。バス会社は、バス会社の名称である。住所は、バス停の住所である。連絡先は、バス会社の電話番号である。各系統の時刻表は、バス停を通る各系統の系統番号と時刻表とを対応付けて示す。例えば、バス会社「○急バス（株）」のバス停「△△停留所」を通る系統１「１２」は、時刻表１「△△１２○急」に対応する。
【００９０】
ここで、図１７を用いて、バス会社「○急バス（株）」のバス停「△△停留所」を通る系統１「１２」を例に挙げて、時刻表１「△△１２○急」の具体例について説明する。
【００９１】
図１７は、時刻表の具体例を示す説明図である。図１７において、時刻表１７００は、バス会社「○急バス（株）」のバス停「△△停留所」を通る系統１「１２」の時刻表である。時刻表１７００は、バス停「△△停留所」においてバスが発車する曜日、時刻（時間、分）を示す。
【００９２】
（介護スタッフ位置情報テーブル１８００の記憶内容）
つぎに、サーバ２０１が有する介護スタッフ位置情報テーブル１８００の記憶内容について説明する。介護スタッフ位置情報テーブル１８００は、例えば、メモリ３０２、ディスク３０５などの記憶装置により実現される。
【００９３】
図１８は、介護スタッフ位置情報テーブル１８００の記憶内容の一例を示す説明図である。図１８において、介護スタッフ位置情報テーブル１８００は、種別、氏名、移動手段、ＧＰＳ情報および連絡先のフィールドを有し、各フィールドに情報を設定することで、介護スタッフ位置情報１８００−１〜１８００−５をレコードとして記憶する。
【００９４】
種別は、介護スタッフの種別である。介護スタッフは、例えば、被監視者の看護や世話をする看護師、介護士などである。氏名は、介護スタッフの氏名である。移動手段は、介護スタッフの移動手段である。移動手段は、例えば、車、徒歩、自転車などである。ＧＰＳ情報は、介護スタッフの位置を示す緯度・経度情報である。連絡先は、介護スタッフの電話番号である。
【００９５】
（地図情報ＤＢ１９００の記憶内容）
つぎに、サーバ２０１が有する地図情報ＤＢ１９００の記憶内容について説明する。地図情報ＤＢ１９００は、例えば、メモリ３０２、ディスク３０５などの記憶装置により実現される。
【００９６】
図１９は、地図情報ＤＢ１９００の記憶内容の一例を示す説明図である。図１９において、地図情報ＤＢ１９００は、区間ＩＤ、始点座標、終点座標、傾斜レベル、交通量レベル、道幅レベル、屋根レベル、街灯数レベル、階段レベルおよび通行人レベルのフィールドを有する。各フィールドに情報を設定することで、区間情報（例えば、区間情報１９００−１，１９００−２）がレコードとして記憶される。
【００９７】
区間ＩＤは、区間を識別する識別子である。区間は、道路上のある点と他の点との間の区間である。始点座標は、区間の始点座標を示す緯度・経度情報である。終点座標は、区間の終点座標を示す緯度・経度情報である。傾斜レベルは、区間の傾斜レベルを示す。交通量レベルは、区間の交通量レベルを示す。道幅レベルは、区間の道幅レベルを示す。
【００９８】
屋根レベルは、区間の屋根レベルを示す。屋根レベル「０」は、区間に歩行者用の屋根が設けられていないことを示す。屋根レベル「１」は、区間に歩行者用の屋根が設けられていることを示す。街灯数レベルは、区間の街灯数レベルを示す。階段レベルは、区間の階段レベルを示す。通行人レベルは、区間の通行人レベルを示す。
【００９９】
（行方不明者設定画面の画面例）
つぎに、クライアント装置２０２のディスプレイ４０６に表示される行方不明者設定画面の画面例について説明する。行方不明者設定画面は、例えば、クライアント装置２０２において行方不明者捜索支援アプリケーションを起動すると表示される。
【０１００】
図２０は、行方不明者設定画面の画面例を示す説明図である。図２０において、行方不明者設定画面２０００は、行方不明者を設定する操作画面である。行方不明者設定画面２０００において、例えば、図４に示した入力装置４０７を用いたユーザの操作入力により、ボックス２００１を選択すると、行方不明者の氏名を入力することができる。
【０１０１】
行方不明者設定画面２０００において、ボックス２００２を選択すると、行方不明者の年齢を入力することができる。行方不明者設定画面２０００において、ボックス２００３を選択すると、行方不明時間を入力することができる。行方不明時間としては、例えば、家族や介護職員などが、被監視者が行方不明となったことに気付いた時刻や、行方不明となる前に最後に被監視者を見かけた時刻などが入力される。
【０１０２】
行方不明者設定画面２０００において、ボックス２００４を選択すると、行方不明場所を示す情報を入力することができる。なお、地図上の１点を指定することで行方不明場所を指定することにしてもよい。行方不明場所としては、例えば、被監視者の自宅や、行方不明となる前に家族や介護職員などが最後に被監視者を見かけた場所などを示す情報が入力される。行方不明者設定画面２０００において、ボックス２００５，２００６を選択すると、行方不明者の連絡先情報（連絡先の氏名、電話番号）を入力することができる。
【０１０３】
また、行方不明者設定画面２０００において、ボックス２００１に氏名が入力された状態で検索ボタン２００７を選択すると、入力された氏名に対応する行方不明者の年齢、住所、連絡先情報が、ボックス２００２，２００４〜２００６に自動入力される。ただし、行方不明者の被監視者情報が被監視者情報ＤＢ５００に登録済みの場合に限る。
【０１０４】
また、行方不明者設定画面２０００において、ＯＫボタン２００８を選択すると、各ボックス２００１〜２００６に入力された内容を示す行方不明者情報が、クライアント装置２０２からサーバ２０１に送信される。なお、行方不明者設定画面２０００において、キャンセルボタン２００９を選択すると、各ボックス２００１〜２００６に入力された内容をリセットすることができる。
【０１０５】
（サーバ２０１の機能的構成例）
図２１は、サーバ２０１の機能的構成例を示すブロック図である。図２１において、サーバ２０１は、受付部２１０１と、設定部２１０２と、表示制御部２１０３と、探索部２１０４と、推定部２１０５と、を含む構成である。受付部２１０１〜推定部２１０５は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【０１０６】
受付部２１０１は、時刻情報と位置情報とを受け付ける。ここで、時刻情報は、被監視者が行方不明となった時刻（行方不明時刻）を示す情報である。また、位置情報は、被監視者が行方不明となった位置（行方不明場所）を示す情報である。具体的には、例えば、受付部２１０１は、クライアント装置２０２から行方不明者情報を受信することにより、時刻情報と位置情報とを受け付ける。
【０１０７】
設定部２１０２は、受け付けた位置情報が示す位置に対して、受け付けた時刻情報が示す時刻からの経過時間Ｔに応じた範囲を設定する。ここで、範囲は、行方不明時刻から現在時刻までの経過時間Ｔと、被監視者の平均移動速度Ｖとから推定される、被監視者が移動可能な範囲である。
【０１０８】
被監視者の平均移動速度Ｖとしては、予め設定された所定の移動速度、例えば、認知症を患う高齢者の平均的な移動速度（例えば、３ｋｍ／ｈ）を用いることにしてもよい。また、設定部２１０２は、複数の速度候補の中から、被監視者の平均移動速度Ｖを選択することにしてもよい。
【０１０９】
例えば、高齢者の平均的な移動速度は、年齢や性別によって異なることがある。このため、設定部２１０２は、例えば、年齢と性別と移動速度との対応関係を示す情報を参照して、被監視者の年齢および性別に対応する移動速度を平均移動速度Ｖとして選択することにしてもよい。
【０１１０】
また、高齢者の平均的な移動速度は、天候によって異なることがある。例えば、雨天時の移動速度は、晴れやくもりのときに比べて低下する傾向にある。このため、設定部２１０２は、例えば、天気と移動速度との対応関係を示す情報を参照して、行方不明場所の天気に対応する移動速度を平均移動速度Ｖとして選択することにしてもよい。
【０１１１】
なお、サーバ２０１は、例えば、天気予報サービスを提供するサーバにアクセスして天気情報を取得することにより、行方不明場所付近の天気を特定することができる。
【０１１２】
具体的には、例えば、まず、設定部２１０２は、受け付けた時刻情報が示す時刻から現在時刻までの経過時間Ｔを算出する。つぎに、設定部２１０２は、算出した経過時間Ｔと、被監視者の平均移動速度Ｖとを掛け合わせることにより、被監視者の移動距離Ｄを算出する。そして、設定部２１０２は、例えば、受け付けた位置情報が示す位置を中心として、算出した移動距離Ｄを半径とする円形の範囲を設定する。
【０１１３】
これにより、行方不明時刻から現在時刻までの経過時間Ｔに応じて拡大される範囲を、被監視者が移動可能な範囲として設定することができる。以下の説明では、経過時間Ｔに応じて設定される範囲として、移動距離Ｄを半径とする円形の範囲を例に挙げて説明する。また、移動距離Ｄを半径とする円形の範囲を「概算円」と表記する場合がある。
【０１１４】
表示制御部２１０３は、設定された概算円を示す情報を地図上に表示する際に、施設の施設情報を参照して、概算円に含まれる所定の施設を強調表示する制御を行う。ここで、概算円を示す情報は、例えば、概算円の境界線を実線や点線で示す線情報であってもよく、また、他領域と異なる背景色で概算円を示す図形情報であってもよい。
【０１１５】
所定の施設は、例えば、寺社、公園、病院、友人宅などの被監視者が立ち寄りそうな施設である。また、所定の施設は、交番、警察署、消防署、市役所、町役場、老人福祉施設などの、徘徊者らしき人物を見かけた際に積極的に保護してくれる施設であってもよい。
【０１１６】
具体的には、例えば、まず、表示制御部２１０３は、表示エリアの地図データを取得する。表示エリアは、地図上の行方不明場所を含む所定範囲のエリアであり、例えば、行方不明場所を中心として数ｋｍ〜数十ｋｍ程度の範囲に設定される。表示エリアの地図データは、図１９に示した地図情報ＤＢ１９００から取得されることにしてもよく、また、外部の地図サーバから取得されることにしてもよい。
【０１１７】
つぎに、表示制御部２１０３は、図６に示したランドマーク情報ＤＢ６００を参照して、被監視者の被監視者ＩＤに対応するランドマークのうち、設定された概算円に住所が含まれるランドマークを特定する。また、表示制御部２１０３は、交番等情報テーブル１５００を参照して、設定された概算円に住所が含まれる交番等の施設を特定する。
【０１１８】
つぎに、表示制御部２１０３は、表示エリアの地図データに基づいて、地図上の概算円に含まれるランドマークや交番等の施設を強調して表示する施設マップの画面情報を生成する。より具体的には、例えば、表示制御部２１０３は、ランドマークや交番等の施設の位置と対応付けて、施設の種別を識別可能なアイコンを表示したり、施設の施設名を吹き出し表示したりする施設マップの画面情報を生成することにしてもよい。
【０１１９】
そして、表示制御部２１０３は、生成した施設マップの画面情報をクライアント装置２０２に送信することにより、クライアント装置２０２のディスプレイ４０６に施設マップを表示させる。より具体的には、例えば、表示制御部２１０３は、クライアント装置２０２から施設マップのマップ表示要求を受信したことに応じて、施設マップの画面情報をクライアント装置２０２に送信することにしてもよい。
【０１２０】
これにより、被監視者が移動可能な範囲（概算円）を地図上に表示するとともに、その範囲に含まれる、被監視者が立ち寄りそうな施設や、徘徊者らしき人物を見かけた際に積極的に保護してくれる施設を強調表示することができる。なお、施設マップの表示例については、図２３を用いて後述する。
【０１２１】
また、表示制御部２１０３は、天気情報を取得し、取得した天気情報が雨天を示す場合に、道路の屋根情報を参照して、設定された概算円に含まれる屋根付きの道路を強調表示する制御を行うことにしてもよい。具体的には、例えば、まず、表示制御部２１０３は、図１９に示した地図情報ＤＢ１９００から、地図上の概算円に含まれる区間の区間情報を抽出する。そして、表示制御部２１０３は、抽出した区間情報の屋根レベルを参照して、屋根レベル「１」の区間を特定する。
【０１２２】
つぎに、表示制御部２１０３は、表示エリアの地図データに基づいて、地図上の概算円に含まれる屋根レベル「１」の区間を強調して表示する屋根マップの画面情報を生成する。より具体的には、例えば、表示制御部２１０３は、屋根レベル「１」の区間を他の区間と異なる色で表示する屋根マップの画面情報を生成することにしてもよい。
【０１２３】
そして、表示制御部２１０３は、生成した屋根マップの画面情報をクライアント装置２０２に送信することにより、屋根マップを表示させる。より具体的には、例えば、表示制御部２１０３は、クライアント装置２０２から屋根マップのマップ表示要求を受信したことに応じて、屋根マップの画面情報をクライアント装置２０２に送信することにしてもよい。
【０１２４】
これにより、被監視者が移動可能な範囲（概算円）を地図上に表示するとともに、その範囲に含まれる、屋根付きの道路（区間）を強調表示することができる。なお、屋根マップの表示例については、図２４を用いて後述する。
【０１２５】
また、表示制御部２１０３は、道路の傾斜情報を参照して、設定された概算円に含まれる急勾配の道路を強調表示する制御を行うことにしてもよい。具体的には、例えば、まず、表示制御部２１０３は、概算円に含まれる区間の区間情報の傾斜レベルを参照して、特定の傾斜レベルの区間を特定する。特定の傾斜レベルは、任意に設定可能であり、例えば、「３以上」、「−３以下」などの傾斜レベルに設定される。
【０１２６】
つぎに、表示制御部２１０３は、表示エリアの地図データに基づいて、地図上の概算円に含まれる特定の傾斜レベルの区間を強調して表示する道路傾斜マップの画面情報を生成する。より具体的には、例えば、表示制御部２１０３は、特定の傾斜レベルの区間を他の区間と異なる色で表示する道路傾斜マップの画面情報を生成することにしてもよい。
【０１２７】
そして、表示制御部２１０３は、生成した道路傾斜マップの画面情報をクライアント装置２０２に送信することにより、道路傾斜マップを表示させる。より具体的には、例えば、表示制御部２１０３は、クライアント装置２０２から道路傾斜マップのマップ表示要求を受信したことに応じて、道路傾斜マップの画面情報をクライアント装置２０２に送信することにしてもよい。
【０１２８】
これにより、被監視者が移動可能な範囲（概算円）を地図上に表示するとともに、その範囲に含まれる、急勾配の道路（区間）を強調表示することができる。なお、道路傾斜マップの表示例については、図２５を用いて後述する。
【０１２９】
また、表示制御部２１０３は、道路の階段情報を参照して、設定された概算円に含まれる階段が存在する道路を強調表示する制御を行うことにしてもよい。具体的には、例えば、まず、表示制御部２１０３は、概算円に含まれる区間の区間情報の階段レベルを参照して、特定の階段レベルの区間を特定する。特定の階段レベルは、任意に設定可能であり、例えば、「２以上」などの階段レベルに設定される。
【０１３０】
つぎに、表示制御部２１０３は、表示エリアの地図データに基づいて、地図上の概算円に含まれる特定の階段レベルの区間を強調して表示する階段マップの画面情報を生成する。より具体的には、例えば、表示制御部２１０３は、特定の階段レベルの区間を他の区間と異なる色で表示する階段マップの画面情報を生成することにしてもよい。
【０１３１】
そして、表示制御部２１０３は、生成した階段マップの画面情報をクライアント装置２０２に送信することにより、階段マップを表示させる。より具体的には、例えば、表示制御部２１０３は、クライアント装置２０２から階段マップのマップ表示要求を受信したことに応じて、階段マップの画面情報をクライアント装置２０２に送信することにしてもよい。
【０１３２】
これにより、被監視者が移動可能な範囲（概算円）を地図上に表示するとともに、その範囲に含まれる、階段が存在する道路（区間）を強調表示することができる。なお、階段マップの表示例については、図２６を用いて後述する。
【０１３３】
また、表示制御部２１０３は、道路の交通量情報を参照して、設定された概算円に含まれる交通量が多い道路を強調表示する制御を行うことにしてもよい。具体的には、例えば、まず、表示制御部２１０３は、概算円に含まれる区間の区間情報の交通量レベルを参照して、特定の交通量レベルの区間を特定する。
【０１３４】
特定の交通量レベルは、任意に設定可能であり、例えば、「４以上」などの交通量レベルに設定される。この際、表示制御部２１０３は、道幅レベルも考慮して、特定の交通量レベルかつ特定の道幅レベルの区間を特定することにしてもよい。特定の道幅レベルは、任意に設定可能であり、例えば、「１」などの道幅レベルに設定される。
【０１３５】
つぎに、表示制御部２１０３は、表示エリアの地図データに基づいて、地図上の概算円に含まれる特定の交通量レベルの区間を強調して表示する交通量マップの画面情報を生成する。より具体的には、例えば、表示制御部２１０３は、特定の交通量レベルの区間を他の区間と異なる色で表示する交通量マップの画面情報を生成することにしてもよい。
【０１３６】
そして、表示制御部２１０３は、生成した交通量マップの画面情報をクライアント装置２０２に送信することにより、交通量マップを表示させる。より具体的には、例えば、表示制御部２１０３は、クライアント装置２０２から交通量マップのマップ表示要求を受信したことに応じて、交通量マップの画面情報をクライアント装置２０２に送信することにしてもよい。
【０１３７】
これにより、被監視者が移動可能な範囲（概算円）を地図上に表示するとともに、その範囲に含まれる、交通量が多い道路（区間）を強調表示することができる。なお、交通量マップの表示例については、図２７を用いて後述する。
【０１３８】
また、表示制御部２１０３は、現在時刻が所定の時間帯に含まれる場合に、道路の街灯情報を参照して、設定された概算円に含まれる街灯が多い道路を強調表示する制御を行うことにしてもよい。所定の時間帯は、任意に設定可能であり、例えば、０時〜５時の時間帯や、１７時〜２３時の時間帯などに設定される。
【０１３９】
具体的には、例えば、まず、表示制御部２１０３は、概算円に含まれる区間の区間情報の街灯数レベルを参照して、特定の街灯数レベルの区間を特定する。特定の街灯数レベルは、任意に設定可能であり、例えば、「３以上」などの街灯数レベルに設定される。この際、表示制御部２１０３は、街灯が少ない区間、例えば、街灯数レベル「１」の区間をさらに特定することにしてもよい。
【０１４０】
つぎに、表示制御部２１０３は、表示エリアの地図データに基づいて、地図上の概算円に含まれる特定の街灯数レベルの区間を強調して表示する街灯マップの画面情報を生成する。より具体的には、例えば、表示制御部２１０３は、特定の街灯数レベルの区間を他の区間と異なる色で表示する街灯マップの画面情報を生成することにしてもよい。この際、表示制御部２１０３は、街灯が少ない区間についても、他の区間と異なる色で表示する街灯マップの画面情報を生成することにしてもよい。
【０１４１】
そして、表示制御部２１０３は、生成した街灯マップの画面情報をクライアント装置２０２に送信することにより、街灯マップを表示させる。より具体的には、例えば、表示制御部２１０３は、クライアント装置２０２から街灯マップのマップ表示要求を受信したことに応じて、街灯マップの画面情報をクライアント装置２０２に送信することにしてもよい。
【０１４２】
これにより、被監視者が移動可能な範囲（概算円）を地図上に表示するとともに、その範囲に含まれる、街灯が多い道路（区間）、または、街灯が少ない道路（区間）を強調表示することができる。なお、街灯マップの表示例については、図２８を用いて後述する。
【０１４３】
また、表示制御部２１０３は、道路の通行人情報を参照して、設定された概算円に含まれる通行人が多い道路を強調表示する制御を行うことにしてもよい。具体的には、例えば、まず、表示制御部２１０３は、概算円に含まれる区間の区間情報の通行人レベルを参照して、特定の通行人レベルの区間を特定する。特定の通行人レベルは、任意に設定可能であり、例えば、「３以上」などの通行人レベルに設定される。この際、表示制御部２１０３は、通行人が少ない区間、例えば、通行人レベル「１」の区間をさらに特定することにしてもよい。
【０１４４】
つぎに、表示制御部２１０３は、表示エリアの地図データに基づいて、地図上の概算円に含まれる特定の通行人レベルの区間を強調して表示する通行人マップの画面情報を生成する。より具体的には、例えば、表示制御部２１０３は、特定の通行人レベルの区間を他の区間と異なる色で表示する通行人マップの画面情報を生成することにしてもよい。
【０１４５】
そして、表示制御部２１０３は、生成した通行人マップの画面情報をクライアント装置２０２に送信することにより、通行人マップを表示させる。より具体的には、例えば、表示制御部２１０３は、クライアント装置２０２から通行人マップのマップ表示要求を受信したことに応じて、通行人マップの画面情報をクライアント装置２０２に送信することにしてもよい。
【０１４６】
これにより、被監視者が移動可能な範囲（概算円）を地図上に表示するとともに、その範囲に含まれる、通行人が多い道路（区間）を強調表示することができる。なお、通行人マップの表示例については、図２９を用いて後述する。
【０１４７】
また、表示制御部２１０３は、バス停のバス情報を参照して、設定された概算円に含まれるバス停を強調表示する制御を行うことにしてもよい。具体的には、例えば、まず、表示制御部２１０３は、図１６に示したバス情報テーブル１６００を参照して、概算円に含まれるバス停を特定する。
【０１４８】
つぎに、表示制御部２１０３は、表示エリアの地図データに基づいて、地図上の概算円に含まれるバス停を強調して表示するバス停マップの画面情報を生成する。より具体的には、例えば、表示制御部２１０３は、バス停の位置と対応付けて、バス停を識別可能なアイコンを表示したり、バス停の名称を吹き出し表示したりするバス停マップの画面情報を生成することにしてもよい。この際、表示制御部２１０３は、指定されたバス停の時刻表（例えば、図１７に示した時刻表１７００）を表示可能なバス停マップの画面情報を生成することにしてもよい。
【０１４９】
そして、表示制御部２１０３は、生成したバス停マップの画面情報をクライアント装置２０２に送信することにより、街灯マップを表示させる。より具体的には、例えば、表示制御部２１０３は、クライアント装置２０２からバス停マップのマップ表示要求を受信したことに応じて、バス停マップの画面情報をクライアント装置２０２に送信することにしてもよい。
【０１５０】
これにより、被監視者が移動可能な範囲（概算円）を地図上に表示するとともに、その範囲に含まれる、バス停を強調表示することができる。なお、バス停マップの表示例については、図３０を用いて後述する。
【０１５１】
また、表示制御部２１０３は、介護スタッフの位置情報を取得し、取得した介護スタッフの位置情報に基づいて、介護スタッフの現在位置を示す情報を地図上に表示する制御を行うことにしてもよい。介護スタッフの位置情報は、例えば、介護スタッフが使用するクライアント装置２０２のＧＰＳユニットにより測位された位置情報である。
【０１５２】
具体的には、例えば、まず、表示制御部２１０３は、介護スタッフのクライアント装置２０２から、介護スタッフの位置情報を取得する。取得された介護スタッフの位置情報は、例えば、図１８に示した介護スタッフ位置情報テーブル１８００に記憶される。
【０１５３】
そして、表示制御部２１０３は、介護スタッフ位置情報テーブル１８００を参照して、表示エリア内に存在する介護スタッフの位置を特定する。つぎに、表示制御部２１０３は、表示エリアの地図データに基づいて、特定した介護スタッフの位置と対応付けて、介護スタッフの種別を識別可能なアイコンを表示したり、介護スタッフの氏名を吹き出し表示したりする介護スタッフマップの画面情報を生成する。
【０１５４】
そして、表示制御部２１０３は、生成した介護スタッフマップの画面情報をクライアント装置２０２に送信することにより、介護スタッフマップを表示させる。より具体的には、例えば、表示制御部２１０３は、クライアント装置２０２から介護スタッフマップのマップ表示要求を受信したことに応じて、介護スタッフマップの画面情報をクライアント装置２０２に送信することにしてもよい。
【０１５５】
これにより、表示エリア内に存在する介護スタッフの現在位置を示す情報を地図上に表示することができる。なお、介護スタッフマップの表示例については、図３１を用いて後述する。
【０１５６】
探索部２１０４は、施設の施設情報を参照して、受け付けた位置情報が示す位置からいずれかの施設までのルートを探索する。具体的には、例えば、まず、探索部２１０４は、ランドマーク情報ＤＢ６００を参照して、被監視者の被監視者ＩＤに対応するランドマークのうち、誘導率が高いランドマークを特定する。この際、探索部２１０４は、表示エリア内に存在する誘導率が高いランドマークを特定することにしてもよい。
【０１５７】
ここで、誘導率が高いランドマークとは、例えば、誘導率が最大のランドマークであってもよく、また、誘導率が閾値（例えば、５０％）以上のランドマークであってもよい。さらに、誘導率が高いランドマークは、誘導率が高い上位複数個のランドマークであってもよい。
【０１５８】
つぎに、探索部２１０４は、特定したランドマークを目的地に設定し、受け付けた位置情報が示す位置から目的地までのルートを探索する。この際、探索部２１０４は、例えば、目的地までの距離が最短となるルートを探索することにしてもよい。また、探索部２１０４は、目的地までのルート上の各区間の傾斜レベル、交通量レベル等の累積値が最小となるルートを探索することにしてもよい。
【０１５９】
また、探索部２１０４は、ユーザの操作入力により選択されたランドマークを目的地に設定し、受け付けた位置情報が示す位置から目的地までのルートを探索することにしてもよい。目的地となるランドマークの選択は、例えば、後述の図３２に示すマップ画面３２００において行われる。
【０１６０】
推定部２１０５は、受け付けた時刻情報が示す時刻からの経過時間Ｔに基づいて、探索されたルート上を所定の移動速度で移動した場合の到達位置を推定する。具体的には、例えば、推定部２１０５は、探索されたルート上を移動距離Ｄ（経過時間Ｔ×平均移動速度Ｖ）だけ移動した位置を到達位置として推定することにしてもよい。ただし、ルートの総距離Ｌが移動距離Ｄよりも短い場合には、目的地が到達位置として推定される。
【０１６１】
また、上述したように、勾配のある道路を移動する際の高齢者の移動速度は、上り勾配、下り勾配のいずれであっても、平地を移動する場合に比べて低下する傾向にある。このため、推定部２１０５は、道路の傾斜情報を参照して、探索されたルート上の各区間の勾配（傾斜レベル）に基づいて、到達位置を推定することにしてもよい。
【０１６２】
具体的には、例えば、まず、推定部２１０５は、地図情報ＤＢ１９００から、探索されたルート上の各区間の区間情報を抽出して、各区間の傾斜レベルを特定する。つぎに、推定部２１０５は、例えば、図７に示した道路傾斜情報テーブル７００を参照して、特定した各区間の傾斜レベルに対応する距離変数を特定する。
【０１６３】
そして、推定部２１０５は、特定した各区間の傾斜レベルに対応する距離変数と、各区間の実距離とに基づいて、各区間の距離を算出する。各区間の実距離は、各区間の始点座標と終点座標とから求めることができる。つぎに、推定部２１０５は、算出した各区間の距離を累積することにより、ルートの総距離Ｌを算出する。
【０１６４】
そして、推定部２１０５は、算出した総距離Ｌのルート上を移動距離Ｄだけ移動した位置を到達位置として推定することにしてもよい。これにより、ルート上の各区間の勾配（傾斜レベル）を考慮して、ルート上を平均移動速度Ｖで移動した場合の到達位置を推定することができる。
【０１６５】
ここで、図２２を用いて、ルート上の各区間の勾配（傾斜レベル）を考慮した到達位置の推定例について説明する。
【０１６６】
図２２は、到達位置の推定例を示す説明図である。図２２において、ルート２２００は、出発地「○○さん宅」から目的地「●●公園」までのルートである。「○○さん宅」は、被監視者が行方不明となった位置（行方不明場所）である。
【０１６７】
ルート２２００は、区間２２０１と、区間２２０２と、区間２２０３と、からなる。ここでは、各区間２２０１〜２２０３の実距離をそれぞれ「１０００ｍ」とする。また、区間２２０１の傾斜レベルを「１」とし、区間２２０２の傾斜レベルを「４」とし、区間２２０３の傾斜レベルを「５」とする。
【０１６８】
この場合、推定部２１０５は、道路傾斜情報テーブル７００を参照して、各区間２２０１〜２２０３の傾斜レベルに対応する距離変数を特定する。そして、推定部２１０５は、各区間２２０１〜２２０３の傾斜レベルに対応する距離変数と、各区間の実距離とに基づいて、各区間２２０１〜２２０３の距離を算出する。
【０１６９】
ここでは、区間２２０１の距離変数は、「１００％」である。このため、区間２２０１の距離は、「１０００ｍ（＝１０００ｍ×１００×１／１００）」となる。また、区間２２０２の距離変数は、「１７０％」である。このため、区間２２０２の距離は、「１７００ｍ（＝１０００ｍ×１７０×１／１００）」となる。また、区間２２０３の距離変数は、「１９５％」である。このため、区間２２０３の距離は、「１９５０ｍ（＝１０００ｍ×１９５×１／１００）」となる。
【０１７０】
つぎに、推定部２１０５は、算出した各区間２２０１〜２２０３の距離を累積することにより、ルート２２００の総距離Ｌを算出する。ここでは、ルート２２００の総距離Ｌは、「４６５０ｍ」となる。そして、推定部２１０５は、算出した総距離Ｌ「４６５０ｍ」のルート２２００上を移動距離Ｄだけ移動した位置を到達位置として推定する。
【０１７１】
ここで、平均移動速度Ｖを「３ｋｍ／ｈ」とし、経過時間Ｔを「１ｈ」とすると、移動距離Ｄは「３ｋｍ」となる。このため、到達位置は、総距離Ｌ「４６５０ｍ」のルート２２００上を移動距離Ｄ「３０００ｍ」だけ移動した位置となる。すなわち、到達位置は、距離「１９５０ｍ」の区間２２０３を「３００ｍ」だけ移動した位置２２０４となる。
【０１７２】
図２１の説明に戻り、上述したように、高齢者の移動速度は、交通量が多いほど低下し、さらに、道幅が狭いほど低下する傾向にある。このため、推定部２１０５は、道路の交通量情報を参照して、探索されたルート上の各区間の交通量（交通量レベル、道幅レベル）に基づいて、到達位置を推定することにしてもよい。
【０１７３】
具体的には、例えば、まず、推定部２１０５は、探索されたルート上の各区間の区間情報を参照して、各区間の交通量レベルおよび道幅レベルを特定する。つぎに、推定部２１０５は、例えば、図９に示した交通量・道幅情報テーブル９００を参照して、特定した各区間の交通量レベルおよび道幅レベルの組合せに対応する距離変数を特定する。
【０１７４】
そして、推定部２１０５は、特定した各区間の交通量レベルおよび道幅レベルに対応する距離変数と、各区間の実距離とに基づいて、各区間の距離を算出する。つぎに、推定部２１０５は、算出した各区間の距離を累積することにより、ルートの総距離Ｌを算出する。そして、推定部２１０５は、算出した総距離Ｌのルート上を移動距離Ｄだけ移動した位置を到達位置として推定する。
【０１７５】
これにより、ルート上の各区間の交通量（交通量レベル、道幅レベル）を考慮して、ルート上を平均移動速度Ｖで移動した場合の到達位置を推定することができる。
【０１７６】
また、上述したように、雨天時の高齢者の移動速度は、晴れやくもりのときに比べて低下する傾向にある。ただし、道路が屋根付きであれば移動速度の低下度合いは小さくなる。このため、推定部２１０５は、天気情報を取得し、取得した天気情報が雨天を示す場合に、道路の屋根情報を参照して、探索されたルート上の各区間が屋根付きであるか否かに基づいて、到達位置を推定することにしてもよい。
【０１７７】
具体的には、例えば、まず、推定部２１０５は、探索されたルート上の各区間の区間情報を参照して、各区間の屋根レベルを特定する。つぎに、推定部２１０５は、例えば、図１０に示した天気・屋根情報テーブル１０００を参照して、特定した各区間の屋根レベルに対応する距離変数を特定する。
【０１７８】
そして、推定部２１０５は、特定した各区間の屋根レベルに対応する距離変数と、各区間の実距離とに基づいて、各区間の距離を算出する。つぎに、推定部２１０５は、算出した各区間の距離を累積することにより、ルートの総距離Ｌを算出する。そして、推定部２１０５は、算出した総距離Ｌのルート上を移動距離Ｄだけ移動した位置を到達位置として推定する。
【０１７９】
これにより、ルート上の各区間が屋根付きであるか否かを考慮して、ルート上を平均移動速度Ｖで移動した場合の到達位置を推定することができる。
【０１８０】
また、上述したように、真夏日、真冬日などの気温が高いあるいは低いときの高齢者の移動速度は、過ごしやすい気温（例えば、２０度）のときに比べて低下する傾向にある。このため、推定部２１０５は、気温情報を取得し、取得した気温情報が気温に基づいて、到達位置を推定することにしてもよい。なお、気温情報は、例えば、天気予報サービスを提供するサーバにアクセスして取得することができる。
【０１８１】
具体的には、例えば、まず、推定部２１０５は、行方不明時刻を含む時間帯の気温を示す気温情報を取得する。つぎに、推定部２１０５は、例えば、図１１に示した気温情報テーブル１１００を参照して、取得した気温情報が示す気温に対応する距離変数を特定する。
【０１８２】
そして、推定部２１０５は、特定した気温に対応する距離変数と、各区間の実距離とに基づいて、各区間の距離を算出する。つぎに、推定部２１０５は、算出した各区間の距離を累積することにより、ルートの総距離Ｌを算出する。そして、推定部２１０５は、算出した総距離Ｌのルート上を移動距離Ｄだけ移動した位置を到達位置として推定する。
【０１８３】
これにより、当日の気温を考慮して、ルート上を平均移動速度Ｖで移動した場合の到達位置を推定することができる。
【０１８４】
また、上述したように、夕方から明け方くらいまでの時間帯は暗くなって歩きにくいため、高齢者の移動速度は、他の時間帯に比べて低下する傾向にある。ただし、道路に設けられた街灯の数が多いほど移動速度の低下度合いは小さくなる。このため、推定部２１０５は、現在時刻が所定の時間帯に含まれる場合に、道路の街灯情報を参照して、探索されたルート上の各区間に存在する街灯の数に基づいて、到達位置を推定することにしてもよい。所定の時間帯は、任意に設定可能であり、例えば、０時〜５時の時間帯や、１７時〜２３時の時間帯などに設定される。
【０１８５】
具体的には、例えば、まず、推定部２１０５は、探索されたルート上の各区間の区間情報を参照して、各区間の街灯数レベルを特定する。つぎに、推定部２１０５は、例えば、図１２に示した街灯情報テーブル１２００を参照して、特定した各区間の街灯数レベルに対応する距離変数を特定する。
【０１８６】
そして、推定部２１０５は、特定した各区間の街灯数レベルに対応する距離変数と、各区間の実距離とに基づいて、各区間の距離を算出する。つぎに、推定部２１０５は、算出した各区間の距離を累積することにより、ルートの総距離Ｌを算出する。そして、推定部２１０５は、算出した総距離Ｌのルート上を移動距離Ｄだけ移動した位置を到達位置として推定する。
【０１８７】
これにより、行方不明時刻が暗くて歩きにくい時間帯の場合は、ルート上の各区間に存在する街灯の数を考慮して、ルート上を平均移動速度Ｖで移動した場合の到達位置を推定することができる。
【０１８８】
また、上述したように、階段のある道路を移動する際の高齢者の移動速度は、階段のない道路を移動する場合に比べて低下する傾向にある。このため、推定部２１０５は、道路の階段情報を参照して、探索されたルート上の各区間に存在する階段の長さに基づいて、到達位置を推定することにしてもよい。
【０１８９】
具体的には、例えば、まず、推定部２１０５は、探索されたルート上の各区間の区間情報を参照して、各区間の階段レベルを特定する。つぎに、推定部２１０５は、例えば、図１３に示した階段情報テーブル１３００を参照して、特定した各区間の階段レベルに対応する距離変数を特定する。
【０１９０】
そして、推定部２１０５は、特定した各区間の階段レベルに対応する距離変数と、各区間の実距離とに基づいて、各区間の距離を算出する。つぎに、推定部２１０５は、算出した各区間の距離を累積することにより、ルートの総距離Ｌを算出する。そして、推定部２１０５は、算出した総距離Ｌのルート上を移動距離Ｄだけ移動した位置を到達位置として推定する。
【０１９１】
これにより、ルート上の各区間に存在する階段の長さを考慮して、ルート上を平均移動速度Ｖで移動した場合の到達位置を推定することができる。
【０１９２】
また、上述したように、通行人の多い道路を移動する際の高齢者の移動速度は、通行人の少ない道路を移動する場合に比べて低下する傾向にある。このため、推定部２１０５は、道路の通行人情報を参照して、探索されたルート上の各区間を通行する人の量に基づいて、到達位置を推定することにしてもよい。
【０１９３】
具体的には、例えば、まず、推定部２１０５は、探索されたルート上の各区間の区間情報を参照して、各区間の通行人レベルを特定する。つぎに、推定部２１０５は、例えば、図１４に示した通行人情報テーブル１４００を参照して、特定した各区間の通行人レベルに対応する距離変数を特定する。
【０１９４】
そして、推定部２１０５は、特定した各区間の通行人レベルに対応する距離変数と、各区間の実距離とに基づいて、各区間の距離を算出する。つぎに、推定部２１０５は、算出した各区間の距離を累積することにより、ルートの総距離Ｌを算出する。そして、推定部２１０５は、算出した総距離Ｌのルート上を移動距離Ｄだけ移動した位置を到達位置として推定する。
【０１９５】
これにより、ルート上の各区間を通行する人の量を考慮して、ルート上を平均移動速度Ｖで移動した場合の到達位置を推定することができる。
【０１９６】
なお、ルート上の各区間の勾配、交通量、屋根の有無、街灯数、階段の長さ、通行人、気温等の複数の要素を考慮して到達位置を推定することにしてもよい。この場合、推定部２１０５は、例えば、複数の要素についての距離変数のうちの最大の距離変数と、各区間の実距離とに基づいて、各区間の距離を算出する。
【０１９７】
また、表示制御部２１０３は、推定された到達位置を示す情報を、探索されたルートとともに地図上に表示する制御を行うことにしてもよい。具体的には、例えば、表示制御部２１０３は、表示エリアの地図データに基づいて、探索されたルート（探索ルート）とともに、推定された到達位置までのルート（移動ルート）を地図上に表示する探索ルートマップの画面情報を生成する。より具体的には、例えば、表示制御部２１０３は、探索ルートとは異なる表示形式で移動ルートを表示する探索ルートマップの画面情報を生成することにしてもよい。
【０１９８】
そして、表示制御部２１０３は、生成した探索ルートマップの画面情報をクライアント装置２０２に送信することにより、探索ルートマップを表示させる。より具体的には、例えば、表示制御部２１０３は、クライアント装置２０２から探索ルートマップのマップ表示要求を受信したことに応じて、探索ルートマップの画面情報をクライアント装置２０２に送信することにしてもよい。
【０１９９】
これにより、例えば、被監視者を誘導する度合いが高い施設までの探索ルートとともに、現在時刻までに被監視者が移動していると推定される位置までの移動ルートを地図上に表示することができる。なお、探索ルートマップの表示例については、図３２を用いて後述する。
【０２００】
（施設マップの表示例）
つぎに、クライアント装置２０２のディスプレイ４０６に表示される施設マップの表示例について説明する。
【０２０１】
図２３は、施設マップの表示例を示す説明図である。図２３において、マップ画面２３００は、施設マップＭ１と、表示枠Ｆ１〜Ｆ３と、ボタンＢ１〜Ｂ１７と、を含む操作画面である。表示枠Ｆ１〜Ｆ３とボタンＢ１〜Ｂ１７は、後述の図２４〜図３２に示す各種マップ画面においても共通して表示される。
【０２０２】
表示枠Ｆ１には、行方不明となった被監視者（行方不明者）の氏名と性別が表示される。表示枠Ｆ２には、行方不明者の年齢が表示される。表示枠Ｆ３には、行方不明時刻から現在時刻までの経過時間Ｔが表示される。表示枠Ｆ１〜Ｆ３によれば、行方不明者の氏名、性別、年齢および行方不明時刻からの経過時間Ｔを確認することができる。
【０２０３】
施設マップＭ１は、行方不明場所Ｐを含む表示エリアの地図上に、概算円Ｓと吹き出し２３０１〜２３０４とが表示された行方不明者捜索支援マップである。概算円Ｓは、行方不明時刻から現在時刻までの経過時間Ｔに応じて拡大される範囲を示す。
【０２０４】
吹き出し２３０１は、行方不明場所Ｐである「○○さん自宅」の位置を示す。吹き出し２３０２は、概算円Ｓ内の「●●神社」の位置を示す。吹き出し２３０３は、概算円Ｓ内の「◇◇病院」の位置を示す。吹き出し２３０４は、概算円Ｓ内の「●●公園」の位置を示す。
【０２０５】
施設マップＭ１によれば、ユーザは、概算円Ｓで示される範囲が、行方不明になってから現在までに行方不明者が移動可能な範囲であることがわかり、捜索範囲を絞り込むことができる。また、ユーザは、概算円Ｓ内で行方不明者が立ち寄りそうな施設（●●神社、◇◇病院、●●公園）が強調表示されるため、捜索範囲内で優先的に捜索すべき箇所を判断しやすくする。
【０２０６】
また、マップ画面２３００において、入力装置４０７を用いたユーザの操作入力により、ボタンＢ１〜Ｂ１０のいずれかを選択すると、表示対象マップを切り替えることができる。例えば、ボタンＢ２が選択されると、道路傾斜マップのマップ表示要求がクライアント装置２０２からサーバ２０１に送信され、表示対象マップが道路傾斜マップに切り替わる。
【０２０７】
また、マップ画面２３００において、ユーザの操作入力により、ボタンＢ１１を選択すると、ディスプレイ４０６に編集画面が表示されて、ランドマークのランドマーク情報や区間の区間情報の編集を行うことができる。編集画面の画面例については、図３３および図３４を用いて後述する。
【０２０８】
また、マップ画面２３００において、ユーザの操作入力により、ボタンＢ１２を選択すると、例えば、クライアント装置２０２に接続されたプリンタにより施設マップＭ１を印刷することができる。また、マップ画面２３００において、ユーザの操作入力により、ボタンＢ１３を選択すると、マップ画面２３００の表示を終了することができる。
【０２０９】
また、マップ画面２３００において、ユーザの操作入力により、ボタンＢ１４を選択すると、１１０番通報することができる。また、マップ画面２３００において、ユーザの操作入力により、ボタンＢ１５を選択すると、１１９番通報することができる。また、マップ画面２３００において、ユーザの操作入力により、ボタンＢ１６を選択すると、病院に連絡することができる。連絡先の病院は、例えば、被監視者のかかりつけの病院である。
【０２１０】
また、マップ画面２３００において、ユーザの操作入力により、ボタンＢ１７を選択すると、行方不明者の家族（例えば、図５に示した被監視者情報５００−１の連絡先）に連絡することができる。ボタンＢ１４〜Ｂ１７によれば、緊急事態の発生時等に警察、消防、病院、家族などにワンタッチで通報できる。
【０２１１】
（屋根マップの表示例）
つぎに、クライアント装置２０２のディスプレイ４０６に表示される屋根マップの表示例について説明する。
【０２１２】
図２４は、屋根マップの表示例を示す説明図である。図２４において、マップ画面２４００は、屋根マップＭ２と、表示枠Ｆ１〜Ｆ３と、ボタンＢ１〜Ｂ１７と、を含む操作画面である。屋根マップＭ２は、行方不明場所Ｐを含む表示エリアの地図上に、概算円Ｓと屋根アイコン２４０１〜２４０３とが表示された行方不明者捜索支援マップである。屋根アイコン２４０１〜２４０３は、概算円Ｓ内の屋根付きの道路（区間）を示す。
【０２１３】
屋根マップＭ２によれば、ユーザは、概算円Ｓで示される範囲が、行方不明になってから現在までに行方不明者が移動可能な範囲であることがわかり、捜索範囲を絞り込むことができる。また、ユーザは、概算円Ｓ内の屋根付きの道路（区間）が強調表示されるため、雨天時に行方不明者が選びやすい経路を判断して捜索を行うことができる。
【０２１４】
（道路傾斜マップの表示例）
つぎに、クライアント装置２０２のディスプレイ４０６に表示される道路傾斜マップの表示例について説明する。
【０２１５】
図２５は、道路傾斜マップの表示例を示す説明図である。図２５において、マップ画面２５００は、道路傾斜マップＭ３と、表示枠Ｆ１〜Ｆ３と、ボタンＢ１〜Ｂ１７と、を含む操作画面である。道路傾斜マップＭ３は、行方不明場所Ｐを含む表示エリアの地図上に、概算円Ｓと道路傾斜アイコン２５０１〜２５０３とが表示された行方不明者捜索支援マップである。
【０２１６】
道路傾斜アイコン２５０１〜２５０３は、概算円Ｓ内の特定の傾斜レベルの道路（区間）を示す。具体的には、道路傾斜アイコン２５０１は、傾斜レベル「５」の道路（区間）を示す（例えば、勾配「１１％以上」）。道路傾斜アイコン２５０２は、傾斜レベル「４」の道路（区間）を示す（例えば、勾配「５％〜１０％」）。道路傾斜アイコン２５０３は、傾斜レベル「３」の道路（区間）を示す（例えば、勾配「２％〜４％」）。
【０２１７】
道路傾斜マップＭ３によれば、ユーザは、概算円Ｓで示される範囲が、行方不明になってから現在までに行方不明者が移動可能な範囲であることがわかり、捜索範囲を絞り込むことができる。また、ユーザは、概算円Ｓ内のある程度勾配がある道路（区間）が強調表示されるため、行方不明者が選びにくい経路、あるいは、たとえ通ったとしても移動に時間がかかる経路を判断して捜索を行うことができる。
【０２１８】
（階段マップの表示例）
つぎに、クライアント装置２０２のディスプレイ４０６に表示される階段マップの表示例について説明する。
【０２１９】
図２６は、階段マップの表示例を示す説明図である。図２６において、マップ画面２６００は、階段マップＭ４と、表示枠Ｆ１〜Ｆ３と、ボタンＢ１〜Ｂ１７と、を含む操作画面である。階段マップＭ４は、行方不明場所Ｐを含む表示エリアの地図上に、概算円Ｓと階段アイコン２６０１〜２６０３とが表示された行方不明者捜索支援マップである。階段アイコン２６０１〜２６０３は、概算円Ｓ内の特定の階段レベルの道路（区間）を示す。具体的には、階段アイコン２６０１〜２６０３は、階段レベル「２以上」の道路（区間）を示す。
【０２２０】
階段マップＭ４によれば、ユーザは、概算円Ｓで示される範囲が、行方不明になってから現在までに行方不明者が移動可能な範囲であることがわかり、捜索範囲を絞り込むことができる。また、ユーザは、概算円Ｓ内の階段がある道路（区間）が強調表示されるため、行方不明者が選びにくい経路、あるいは、たとえ通ったとしても移動に時間がかかる経路を判断して捜索を行うことができる。
【０２２１】
（交通量マップの表示例）
つぎに、クライアント装置２０２のディスプレイ４０６に表示される交通量マップの表示例について説明する。
【０２２２】
図２７は、交通量マップの表示例を示す説明図である。図２７において、マップ画面２７００は、交通量マップＭ５と、表示枠Ｆ１〜Ｆ３と、ボタンＢ１〜Ｂ１７と、を含む操作画面である。交通量マップＭ５は、行方不明場所Ｐを含む表示エリアの地図上に、概算円Ｓと交通量アイコン２７０１〜２７０４とが表示された行方不明者捜索支援マップである。
【０２２３】
交通量アイコン２７０１〜２７０４は、概算円Ｓ内の特定の交通量レベル・道幅レベルの道路（区間）を示す。具体的には、交通量アイコン２７０１，２７０２は、交通量レベル「４以上」・道幅レベル「１」の道路（区間）を示す。交通量アイコン２７０３，２７０４は、交通量レベル「４以上」・道幅レベル「２」の道路（区間）を示す。
【０２２４】
交通量マップＭ５によれば、ユーザは、概算円Ｓで示される範囲が、行方不明になってから現在までに行方不明者が移動可能な範囲であることがわかり、捜索範囲を絞り込むことができる。また、ユーザは、概算円Ｓ内の比較的交通量が多い道路（区間）が強調表示されるため、行方不明者が選びにくい経路、あるいは、たとえ通ったとしても移動に時間がかかる経路を判断して捜索を行うことができる。
【０２２５】
（街灯マップの表示例）
つぎに、クライアント装置２０２のディスプレイ４０６に表示される街灯マップの表示例について説明する。
【０２２６】
図２８は、街灯マップの表示例を示す説明図である。図２８において、マップ画面２８００は、街灯マップＭ６と、表示枠Ｆ１〜Ｆ３と、ボタンＢ１〜Ｂ１７と、を含む操作画面である。街灯マップＭ６は、行方不明場所Ｐを含む表示エリアの地図上に、概算円Ｓと街灯アイコン２８０１〜２８０３とが表示された行方不明者捜索支援マップである。
【０２２７】
街灯アイコン２８０１〜２８０３は、概算円Ｓ内の特定の街灯数レベルの道路（区間）を示す。具体的には、街灯アイコン２８０１，２８０２は、街灯数レベル「３以上」の道路（区間）を示す。街灯アイコン２８０３は、街灯数レベル「１」の道路（区間）を示す。
【０２２８】
街灯マップＭ６によれば、ユーザは、概算円Ｓで示される範囲が、行方不明になってから現在までに行方不明者が移動可能な範囲であることがわかり、捜索範囲を絞り込むことができる。また、ユーザは、概算円Ｓ内の街灯が多い道路（区間）、および街灯が少ない道路（区間）が強調表示されるため、辺りが暗い時間帯に、行方不明者が選びやすい経路、選びにくい経路を判断して捜索を行うことができる。
【０２２９】
（通行人マップの表示例）
つぎに、クライアント装置２０２のディスプレイ４０６に表示される通行人マップの表示例について説明する。
【０２３０】
図２９は、通行人マップの表示例を示す説明図である。図２９において、マップ画面２９００は、通行人マップＭ７と、表示枠Ｆ１〜Ｆ３と、ボタンＢ１〜Ｂ１７と、を含む操作画面である。通行人マップＭ７は、行方不明場所Ｐを含む表示エリアの地図上に、概算円Ｓと通行人アイコン２９０１〜２９０４とが表示された行方不明者捜索支援マップである。
【０２３１】
通行人アイコン２９０１〜２９０４は、概算円Ｓ内の特定の通行人レベルの道路（区間）を示す。具体的には、通行人アイコン２９０１，２９０２は、通行人レベル「３以上」の道路（区間）を示す。通行人アイコン２９０３，２９０４は、通行人レベル「１」の道路（区間）を示す。
【０２３２】
通行人マップＭ７によれば、ユーザは、概算円Ｓで示される範囲が、行方不明になってから現在までに行方不明者が移動可能な範囲であることがわかり、捜索範囲を絞り込むことができる。また、ユーザは、概算円Ｓ内の通行人が多い道路（区間）、および通行人が少ない道路（区間）が強調表示されるため、行方不明者が選びやすい経路、選びにくい経路を判断して捜索を行うことができる。
【０２３３】
（バス停マップの表示例）
つぎに、クライアント装置２０２のディスプレイ４０６に表示されるバス停マップの表示例について説明する。
【０２３４】
図３０は、バス停マップの表示例を示す説明図である。図３０において、マップ画面３０００は、バス停マップＭ８と、表示枠Ｆ１〜Ｆ３と、ボタンＢ１〜Ｂ１７と、を含む操作画面である。バス停マップＭ８は、行方不明場所Ｐを含む表示エリアの地図上に、概算円Ｓと、バス停アイコン３００１，３００２と、吹き出し３００３，３００４とが表示された行方不明者捜索支援マップである。
【０２３５】
バス停アイコン３００１，３００２は、概算円Ｓ内のバス停を示す。吹き出し３００３は、バス停アイコン３００１に対応するバス停の名称「△△停留所」を示す。吹き出し３００４は、バス停アイコン３００２に対応するバス停の名称「◇◇停留所」を示す。
【０２３６】
マップ画面３０００において、ユーザの操作入力により、各吹き出し３００３，３００４内の時刻表アイコン３００５，３００６を選択すると、各バス停の時刻表がポップアップ表示される。図３０の例では、吹き出し３００３内の時刻表アイコン３００５が選択されて、バス停アイコン３００１に対応するバス停の時刻表３０１０が表示されている。さらに、時刻表３０１０内の電話アイコン３０１１を選択すると、バス会社に連絡することができる。
【０２３７】
バスマップＭ８によれば、ユーザは、概算円Ｓで示される範囲が、行方不明になってから現在までに行方不明者が移動可能な範囲であることがわかり、捜索範囲を絞り込むことができる。また、概算円Ｓ内のバス停が強調表示され、さらに、時刻表を確認することができるため、行方不明者がバスに乗って移動している可能性を判断することができる。また、バスに乗って移動している可能性がある場合には、バス会社に連絡して行方不明者の安否等を確認することができる。
【０２３８】
（介護スタッフマップの表示例）
つぎに、クライアント装置２０２のディスプレイ４０６に表示される介護スタッフマップの表示例について説明する。
【０２３９】
図３１は、介護スタッフマップの表示例を示す説明図である。図３１において、マップ画面３１００は、介護スタッフマップＭ９と、表示枠Ｆ１〜Ｆ３と、ボタンＢ１〜Ｂ１７と、を含む操作画面である。介護スタッフマップＭ９は、行方不明場所Ｐを含む表示エリアの地図上に、介護スタッフアイコン３１０１〜３１０３と、が表示された行方不明者捜索支援マップである。
【０２４０】
介護スタッフアイコン３１０１〜３１０３は、介護スタッフの現在位置を示す。介護スタッフアイコン３１０１〜３１０３には、吹き出し３１０４〜３１０６と電話アイコン３１０７〜３１０９とが対応付けられている。例えば、吹き出し３１０４は、介護スタッフアイコン３１０１に対応する介護スタッフの氏名「○○花子」を示す。また、マップ画面３１００において、ユーザの操作入力により、例えば、電話アイコン３１０７を選択すると、介護スタッフアイコン３１０１に対応する介護スタッフに連絡することができる。
【０２４１】
介護スタッフマップＭ９によれば、ユーザは、介護スタッフの現在位置を把握することができるため、例えば、捜索範囲内で優先的に捜索すべき箇所の付近にいる介護スタッフに連絡して、行方不明者の捜索を依頼することができる。
【０２４２】
（探索ルートマップの表示例）
つぎに、クライアント装置２０２のディスプレイ４０６に表示される探索ルートマップの表示例について説明する。
【０２４３】
図３２は、探索ルートマップの表示例を示す説明図である。図３２において、マップ画面３２００は、探索ルートマップＭ１０と、表示枠Ｆ１〜Ｆ３と、ボタンＢ１〜Ｂ１７と、を含む操作画面である。探索ルートマップＭ１０は、行方不明場所Ｐを含む表示エリアの地図上に、ランドマークアイコン３２０１と、探索ルートＲ１〜Ｒ３と、移動ルート３２１０，３２２０と、が表示された行方不明者捜索支援マップである。
【０２４４】
ランドマークアイコン３２０１は、被監視者（被監視者ＩＤ：Ｐ１、氏名：○○太郎）を誘導する誘導率が最大のランドマークの位置を示す。ランドマークアイコン３２０１には、ランドマークの名称「△△様」と種別「友人宅」を示す吹き出し３２０２が対応付けられている。
【０２４５】
探索ルートＲ１〜Ｒ３は、行方不明場所Ｐからランドマークアイコン３２０１が示すランドマークまでのルートである。探索ルートＲ１は、坂道がある通行量（通行する人の量）の多いルートである。探索ルートＲ２は、探索ルートＲ１〜Ｒ３のうちの最短経路であり、坂道がある通行量の多いルートである。探索ルートＲ３は、坂道がなく通行量の少ない歩きやすいルートである。
【０２４６】
移動ルート３２１０は、探索ルートＲ１，Ｒ２上の各区間の勾配や通行量を考慮して、探索ルートＲ１，Ｒ２上を平均移動速度Ｖで移動した場合の到達位置を示すルートである。また、移動ルート３２２０は、探索ルートＲ３上の各区間の勾配や通行量を考慮して、探索ルートＲ３上を平均移動速度Ｖで移動した場合の到達位置を示すルートである。
【０２４７】
探索ルートマップＭ１０によれば、ユーザは、行方不明場所Ｐから誘導率の高いランドマークまで移動する際に通る経路（探索ルートＲ１〜Ｒ３）を判断することができる。また、ユーザは、坂道の有無、通行量の多さといった各探索ルートＲ１〜Ｒ３の特性から、行方不明者がどの経路を選びやすいかを判断することができる。
【０２４８】
また、ユーザは、各移動ルート３２１０，３２２０が示す位置から、各探索ルートＲ１〜Ｒ３を行方不明者が通った場合に各探索ルートＲ１〜Ｒ３上のどの辺りまで移動しているかを判断することができる。また、マップ画面３２００において、吹き出し３２０３内の電話アイコン３２０３を選択すると、ランドマークアイコン３２０１に対応する施設（友人宅）に連絡して行方不明者の安否等を確認することができる。
【０２４９】
なお、マップ画面３２００において、ユーザの操作入力により、目的地となる地点を指定できるようにしてもよい。例えば、サーバ２０１は、探索ルートマップＭ１０上のいずれかの地点を指定する操作入力が行われると、指定された地点を目的地としてルートを再探索することにしてもよい。
【０２５０】
また、サーバ２０１は、誘導率が最大のランドマーク以外の他のランドマークについても、探索ルートマップＭ１０上にランドマークアイコンを表示することにしてもよい。そして、サーバ２０１は、探索ルートマップＭ１０上のいずれかのランドマークアイコンを選択する操作入力が行われると、選択されたランドマークアイコンが示す位置を目的地としてルートを再探索することにしてもよい。
【０２５１】
（編集画面の画面例）
つぎに、図３３および図３４を用いて、クライアント装置２０２のディスプレイ４０６に表示される編集画面の画面例について説明する。まず、図３３を用いて、区間の区間情報を編集する場合について説明する。ここでは、ユーザの操作としてマウス操作を行うことを例として説明する。
【０２５２】
図３３は、編集画面の画面例を示す説明図（その１）である。編集画面３３００において、ユーザのユーザ操作により、地図３３０１上の所定の区間をドラッグしてなぞると、ラバーバンドが表示される。図３３の例では、矢印３３０２，３３０３で示す２点間を結ぶ区間がなぞられて、ラバーバンド３３０４が表示されている。
【０２５３】
ラバーバンド３３０４が表示された状態で、マウスの右クリックを押下すると、メニュー画面３３０５が表示される。メニュー画面３３０５の項目３３０６〜３３１１のいずれかを選択すると、選択した項目の設定画面（不図示）が表示されて、各種情報の設定を行うことができる。
【０２５４】
例えば、項目３３０６が選択されると、傾斜情報の設定画面が表示されて、ラバーバンド３３０４が示す区間の傾斜レベルを設定することができる。なお、編集画面３３００において設定された区間の各種情報は、例えば、地図情報ＤＢ１９００の区間情報に反映される。
【０２５５】
つぎに、図３４を用いて、ランドマークのランドマーク情報を編集する場合について説明する。ここでは、ユーザの操作としてマウス操作を行うことを例として説明する。
【０２５６】
図３４は、編集画面の画面例を示す説明図（その２）である。編集画面３４００において、ユーザのユーザ操作により、地図３４０１上の所定の地点で右クリックすると、メニュー画面が表示される。図３４の例では、地図３４０１上の地点３４０２で右クリックされて、メニュー画面３４０３が表示されている。
【０２５７】
メニュー画面３４０３の項目３４０４〜３４０８のいずれかを選択すると、選択した項目の設定画面（不図示）が表示されて、各種情報の設定を行うことができる。例えば、項目３４０４が選択されると、種別情報の設定画面が表示されて、ランドマークの種別を設定することができる。なお、編集画面３４００において編集されたランドマークの各種情報は、例えば、ランドマーク情報ＤＢ６００のランドマーク情報に反映される。
【０２５８】
（サーバ２０１の行方不明者捜索支援処理手順）
つぎに、サーバ２０１の行方不明者捜索支援処理手順について説明する。
【０２５９】
図３５は、サーバ２０１の行方不明者捜索支援処理手順の一例を示すフローチャートである。図３５のフローチャートにおいて、まず、サーバ２０１は、クライアント装置２０２から行方不明者情報を受信したか否かを判断する（ステップＳ３５０１）。
【０２６０】
ここで、サーバ２０１は、行方不明者情報を受信するのを待つ（ステップＳ３５０１：Ｎｏ）。そして、サーバ２０１は、行方不明者情報を受信した場合（ステップＳ３５０１：Ｙｅｓ）、マップ生成処理を実行する（ステップＳ３５０２）。なお、マップ生成処理の具体的な処理手順については、図３６〜図３８を用いて後述する。
【０２６１】
つぎに、サーバ２０１は、クライアント装置２０２のディスプレイ４０６に施設マップを表示する制御を行う（ステップＳ３５０３）。そして、サーバ２０１は、クライアント装置２０２からマップ表示要求を受信したか否かを判断する（ステップＳ３５０４）。
【０２６２】
ここで、マップ表示要求を受信していない場合（ステップＳ３５０４：Ｎｏ）、サーバ２０１は、ステップＳ３５０６に移行する。一方、マップ表示要求を受信した場合（ステップＳ３５０４：Ｙｅｓ）、サーバ２０１は、受信したマップ表示要求に対応するマップをクライアント装置２０２のディスプレイ４０６に表示する制御を行う（ステップＳ３５０５）。
【０２６３】
つぎに、サーバ２０１は、探索ルートマップ上で目的地が変更されたか否かを判断する（ステップＳ３５０６）。ここで、目的地が変更されていない場合（ステップＳ３５０６：Ｎｏ）、サーバ２０１は、ステップＳ３５０９に移行する。
【０２６４】
一方、目的地が変更された場合（ステップＳ３５０６：Ｙｅｓ）、サーバ２０１は、探索ルートマップ生成処理を実行する（ステップＳ３５０７）。探索ルートマップ生成処理の具体的な処理手順は、後述の図３８に示すステップＳ３８０８〜Ｓ３８１１と同様のため、図示および説明を省略する。
【０２６５】
つぎに、サーバ２０１は、クライアント装置２０２のディスプレイ４０６に探索ルートマップを表示する制御を行う（ステップＳ３５０８）。そして、サーバ２０１は、クライアント装置２０２からマップ画面の表示を終了する終了指示を受信したか否かを判断する（ステップＳ３５０９）。
【０２６６】
ここで、終了指示を受信していない場合（ステップＳ３５０９：Ｎｏ）、サーバ２０１は、ステップＳ３５０４に戻る。一方、終了指示を受信した場合（ステップＳ３５０９：Ｙｅｓ）、サーバ２０１は、本フローチャートによる一連の処理を終了する。
【０２６７】
これにより、行方不明者の捜索を支援する各種マップ画面を、クライアント装置２０２のディスプレイ４０６に表示することができる。
【０２６８】
つぎに、図３５に示したステップＳ３５０２のマップ生成処理の具体的な処理手順について説明する。
【０２６９】
図３６〜図３８は、マップ生成処理の具体的処理手順の一例を示すフローチャートである。図３６のフローチャートにおいて、まず、サーバ２０１は、受信した行方不明者情報が示す時刻（行方不明時刻）から現在時刻までの経過時間Ｔを算出する（ステップＳ３６０１）。
【０２７０】
つぎに、サーバ２０１は、算出した経過時間Ｔと、被監視者の平均移動速度Ｖとを掛け合わせることにより、被監視者の移動距離Ｄを算出する（ステップＳ３６０２）。そして、サーバ２０１は、受信した行方不明者情報が示す位置（行方不明場所）を中心として、算出した移動距離Ｄを半径とする円形の概算円を設定する（ステップＳ３６０３）。
【０２７１】
つぎに、サーバ２０１は、表示エリアの地図データを取得する（ステップＳ３６０４）。そして、サーバ２０１は、ランドマーク情報ＤＢ６００を参照して、設定した概算円に含まれるランドマークを特定する（ステップＳ３６０５）。この際、サーバ２０１は、交番等情報テーブル１５００を参照して、設定した概算円に含まれる交番等の施設を特定することにしてもよい。
【０２７２】
つぎに、サーバ２０１は、取得した表示エリアの地図データに基づいて、地図上の概算円に含まれるランドマークを強調して表示する施設マップの画面情報を生成する（ステップＳ３６０６）。これにより、被監視者が移動可能な範囲（概算円）に含まれる、被監視者が立ち寄りそうな施設を強調表示する施設マップを生成することができる。
【０２７３】
つぎに、サーバ２０１は、地図上の概算円に含まれる区間の区間情報の傾斜レベルを参照して、特定の傾斜レベルの区間を特定する（ステップＳ３６０７）。そして、サーバ２０１は、表示エリアの地図データに基づいて、地図上の概算円に含まれる特定の傾斜レベルの区間を強調して表示する道路傾斜マップの画面情報を生成する（ステップＳ３６０８）。
【０２７４】
これにより、被監視者が移動可能な範囲（概算円）に含まれる、急勾配の道路（区間）を強調表示する道路傾斜マップを生成することができる。
【０２７５】
つぎに、サーバ２０１は、地図上の概算円に含まれる区間の区間情報の交通量レベルを参照して、特定の交通量レベルの区間を特定する（ステップＳ３６０９）。この際、サーバ２０１は、道幅レベルも考慮して、特定の交通量レベルかつ特定の道幅レベルの区間を特定することにしてもよい。そして、サーバ２０１は、表示エリアの地図データに基づいて、地図上の概算円に含まれる特定の交通量レベルの区間を強調して表示する交通量マップの画面情報を生成して（ステップＳ３６１０）、図３７に示すステップＳ３７０１に移行する。
【０２７６】
これにより、被監視者が移動可能な範囲（概算円）に含まれる、交通量が多い道路（区間）を強調表示する交通量マップを生成することができる。
【０２７７】
図３７のフローチャートにおいて、まず、サーバ２０１は、天気情報を取得する（ステップＳ３７０１）。そして、サーバ２０１は、取得した天気情報が雨天を示すか否かを判断する（ステップＳ３７０２）。ここで、雨天を示さない場合（ステップＳ３７０２：Ｎｏ）、サーバ２０１は、ステップＳ３７０５に移行する。
【０２７８】
一方、雨天を示す場合（ステップＳ３７０２：Ｙｅｓ）、サーバ２０１は、地図上の概算円に含まれる区間の区間情報の屋根レベルを参照して、屋根レベル「１」の区間を特定する（ステップＳ３７０３）。そして、サーバ２０１は、表示エリアの地図データに基づいて、地図上の概算円に含まれる屋根レベル「１」の区間を強調して表示する屋根マップの画面情報を生成する（ステップＳ３７０４）。
【０２７９】
これにより、被監視者が移動可能な範囲（概算円）に含まれる、屋根付きの道路（区間）を強調表示する屋根マップを生成することができる。
【０２８０】
つぎに、サーバ２０１は、現在時刻が所定の時間帯に含まれるか否かを判断する（ステップＳ３７０５）。ここで、所定の時間帯に含まれない場合（ステップＳ３７０５：Ｎｏ）、サーバ２０１は、ステップＳ３７０７に移行する。
【０２８１】
一方、所定の時間帯に含まれる場合（ステップＳ３７０５：Ｙｅｓ）、サーバ２０１は、地図上の概算円に含まれる区間の区間情報の街灯数レベルを参照して、特定の街灯数レベルの区間を特定する（ステップＳ３７０６）。そして、サーバ２０１は、表示エリアの地図データに基づいて、地図上の概算円に含まれる特定の街灯数レベルの区間を強調して表示する街灯マップの画面情報を生成する（ステップＳ３７０７）。
【０２８２】
これにより、被監視者が移動可能な範囲（概算円）に含まれる、街灯が多い道路（区間）、あるいは、街灯が少ない道路（区間）を強調表示する街灯マップを生成することができる。
【０２８３】
つぎに、サーバ２０１は、地図上の概算円に含まれる区間の区間情報の階段レベルを参照して、特定の階段レベルの区間を特定する（ステップＳ３７０８）。そして、サーバ２０１は、表示エリアの地図データに基づいて、地図上の概算円に含まれる特定の階段レベルの区間を強調して表示する階段マップの画面情報を生成して（ステップＳ３７０９）、図３８に示すステップＳ３８０１に移行する。
【０２８４】
被監視者が移動可能な範囲（概算円）に含まれる、階段が存在する道路（区間）を強調表示する階段マップを生成することができる。
【０２８５】
図３８のフローチャートにおいて、まず、サーバ２０１は、地図上の概算円に含まれる区間の区間情報の通行人レベルを参照して、特定の通行人レベルの区間を特定する（ステップＳ３８０１）。そして、サーバ２０１は、表示エリアの地図データに基づいて、地図上の概算円に含まれる特定の通行人レベルの区間を強調して表示する通行人マップの画面情報を生成する（ステップＳ３８０２）。
【０２８６】
これにより、被監視者が移動可能な範囲（概算円）に含まれる、通行人が多い道路（区間）を強調表示する通行人マップを生成することができる。
【０２８７】
つぎに、サーバ２０１は、バス情報テーブル１６００を参照して、地図上の概算円に含まれるバス停を特定する（ステップＳ３８０３）。そして、サーバ２０１は、表示エリアの地図データに基づいて、地図上の概算円に含まれるバス停を強調して表示するバス停マップの画面情報を生成する（ステップＳ３８０４）。
【０２８８】
これにより、被監視者が移動可能な範囲（概算円）に含まれる、バス停を強調表示するバス停マップを生成することができる。
【０２８９】
つぎに、サーバ２０１は、介護スタッフ位置情報テーブル１８００を参照して、表示エリア内に存在する介護スタッフの位置を特定する（ステップＳ３８０５）。そして、サーバ２０１は、表示エリアの地図データに基づいて、特定した介護スタッフの位置を示す介護スタッフマップの画面情報を生成する（ステップＳ３８０６）。
【０２９０】
これにより、表示エリア内に存在する介護スタッフの現在位置を示す情報を地図上に表示する介護スタッフマップを生成することができる。
【０２９１】
つぎに、サーバ２０１は、ランドマーク情報ＤＢ６００を参照して、表示エリア内に存在する誘導率が最大のランドマークを特定する（ステップＳ３８０７）。そして、サーバ２０１は、特定したランドマークを目的地に設定し（ステップＳ３８０８）、行方不明者情報が示す位置（行方不明場所）から目的地までのルートを探索する（ステップＳ３８０９）。
【０２９２】
つぎに、サーバ２０１は、経過時間Ｔに基づいて、探索したルート上を平均移動速度Ｖで移動した場合の到達位置を推定する（ステップＳ３８１０）。この際、サーバ２０１は、例えば、ルート上の各区間の勾配、交通量、屋根の有無、街灯数、階段の長さ、通行人、気温等を考慮して到達位置を推定する。
【０２９３】
そして、サーバ２０１は、表示エリアの地図データに基づいて、探索したルート（探索ルート）とともに、推定した到達位置までのルート（移動ルート）を地図上に表示する探索ルートマップの画面情報を生成して（ステップＳ３８１１）、マップ生成処理を呼び出したステップに戻る。
【０２９４】
これにより、被監視者を誘導する度合いが高い施設までの探索ルートとともに、現在時刻までに被監視者が移動していると推定される位置までの移動ルートを表示する探索ルートマップを生成することができる。
【０２９５】
以上説明したように、実施の形態にかかるサーバ２０１によれば、行方不明となった位置に対して、行方不明となった時刻からの経過時間Ｔに応じた範囲（例えば、概算円）を設定することができる。これにより、行方不明時刻から現在時刻までの経過時間Ｔに応じて拡大される範囲を、被監視者が移動可能な範囲として設定することができる。
【０２９６】
また、サーバ２０１によれば、設定した範囲を示す情報を地図上に表示する際に、施設の施設情報を参照して、その範囲内の所定の施設を強調表示する制御を行うことができる。所定の施設は、例えば、寺社、公園、病院、友人宅などの被監視者が立ち寄りそうな施設や、交番、警察署、消防署、市役所、町役場、老人福祉施設などの、徘徊者らしき人物を見かけた際に積極的に保護してくれる施設である。
【０２９７】
これにより、被監視者が移動可能な範囲（概算円）を地図上に表示するとともに、その範囲に含まれる、被監視者が立ち寄りそうな施設や、徘徊者らしき人物を見かけた際に積極的に保護してくれる施設を強調表示することができる。
【０２９８】
また、サーバ２０１によれば、所定の移動速度または複数の速度候補の中から選択された移動速度に基づいて、行方不明となった時刻からの経過時間Ｔに応じた範囲を設定することができる。これにより、被監視者の年齢や性別、当日の天候などによって変動する移動速度を考慮して、被監視者が移動可能な範囲を設定することができる。
【０２９９】
また、サーバ２０１によれば、天気情報を取得し、取得した天気情報が雨天を示す場合に、道路の屋根情報を参照して、設定した範囲に含まれる屋根付きの道路を強調表示する制御を行うことができる。これにより、被監視者が移動可能な範囲（概算円）を地図上に表示するとともに、その範囲に含まれる、屋根付きの道路（区間）を強調表示することができる。
【０３００】
また、サーバ２０１によれば、道路の傾斜情報を参照して、設定した範囲に含まれる急勾配の道路を強調表示する制御を行うことができる。これにより、被監視者が移動可能な範囲（概算円）を地図上に表示するとともに、その範囲に含まれる、急勾配の道路（区間）を強調表示することができる。
【０３０１】
また、サーバ２０１によれば、道路の階段情報を参照して、設定した範囲に含まれる階段が存在する道路を強調表示する制御を行うことができる。これにより、被監視者が移動可能な範囲（概算円）を地図上に表示するとともに、その範囲に含まれる、階段が存在する道路（区間）を強調表示することができる。
【０３０２】
また、サーバ２０１によれば、道路の交通量情報を参照して、設定した範囲に含まれる交通量が多い道路を強調表示する制御を行うことができる。これにより、被監視者が移動可能な範囲（概算円）を地図上に表示するとともに、その範囲に含まれる、交通量が多い道路（区間）を強調表示することができる。
【０３０３】
また、サーバ２０１によれば、現在時刻が所定の時間帯に含まれる場合に、道路の街灯情報を参照して、設定した範囲に含まれる街灯が多い道路を強調表示する制御を行うことができる。これにより、被監視者が移動可能な範囲（概算円）を地図上に表示するとともに、その範囲に含まれる、街灯が多い道路（区間）を強調表示することができる。
【０３０４】
また、サーバ２０１によれば、バス停のバス情報を参照して、設定した範囲に含まれるバス停を強調表示する制御を行うことができる。これにより、被監視者が移動可能な範囲（概算円）を地図上に表示するとともに、その範囲に含まれる、バス停を強調表示することができる。
【０３０５】
また、サーバ２０１によれば、道路の通行人情報を参照して、設定した範囲に含まれる通行人が多い道路を強調表示する制御を行うことができる。これにより、被監視者が移動可能な範囲（概算円）を地図上に表示するとともに、その範囲に含まれる、通行人が多い道路（区間）を強調表示することができる。
【０３０６】
また、サーバ２０１によれば、行方不明となった位置からいずれかの施設までのルートを探索し、行方不明となった時刻からの経過時間Ｔに基づいて、探索したルート上を所定の移動速度で移動した場合の到達位置を推定することができる。そして、サーバ２０１によれば、推定した到達位置を示す情報を、探索したルートとともに地図上に表示することができる。
【０３０７】
これにより、ユーザは、探索ルートを行方不明者が通った場合に、探索ルート上のどの辺りまで移動しているかを判断することができる。
【０３０８】
また、サーバ２０１によれば、施設の誘導率を参照して、行方不明となった位置から誘導率が最大の施設までのルートを探索することができる。これにより、行方不明者を誘導する度合いが高い施設を目的地としてルート探索を行うことができる。
【０３０９】
また、サーバ２０１によれば、道路の傾斜情報を参照して、探索したルート上の道路の勾配に基づいて、到達位置を推定することができる。これにより、探索ルート上の各区間の勾配（傾斜レベル）を考慮して、探索ルート上を所定の移動速度（平均移動速度Ｖ）で移動した場合の到達位置を推定することができる。
【０３１０】
また、サーバ２０１によれば、道路の階段情報を参照して、探索したルート上の道路に存在する階段の長さに基づいて、到達位置を推定することができる。これにより、探索ルート上の各区間に存在する階段の長さを考慮して、探索ルート上を所定の移動速度（平均移動速度Ｖ）で移動した場合の到達位置を推定することができる。
【０３１１】
また、サーバ２０１によれば、道路の交通量情報を参照して、探索したルート上の道路の交通量に基づいて、到達位置を推定することができる。これにより、探索ルート上の各区間の交通量（交通量レベル、道幅レベル）を考慮して、探索ルート上を所定の移動速度（平均移動速度Ｖ）で移動した場合の到達位置を推定することができる。
【０３１２】
また、サーバ２０１によれば、天気情報を取得し、取得した天気情報が雨天を示す場合に、道路の屋根情報を参照して、探索したルート上の道路が屋根付きであるか否かに基づいて、到達位置を推定することができる。これにより、探索ルート上の各区間が屋根付きであるか否かを考慮して、探索ルート上を所定の移動速度（平均移動速度Ｖ）で移動した場合の到達位置を推定することができる。
【０３１３】
また、サーバ２０１によれば、現在時刻が所定の時間帯に含まれる場合に、道路の街灯情報を参照して、探索したルート上の道路に存在する街灯の数に基づいて、到達位置を推定することができる。これにより、行方不明となった時刻が暗くて歩きにくい時間帯の場合に、探索ルート上の各区間に存在する街灯の数を考慮して、探索ルート上を所定の移動速度（平均移動速度Ｖ）で移動した場合の到達位置を推定することができる。
【０３１４】
また、サーバ２０１によれば、気温情報を取得し、取得した気温情報が示す気温に基づいて、到達位置を推定することができる。これにより、当日の気温を考慮して、探索ルート上を所定の移動速度（平均移動速度Ｖ）で移動した場合の到達位置を推定することができる。
【０３１５】
また、サーバ２０１によれば、介護スタッフの位置情報を取得し、取得した介護スタッフの位置情報に基づいて、介護スタッフの現在位置を示す情報を地図上に表示する制御を行うことができる。これにより、表示エリア内に存在する介護スタッフの現在位置を示す情報を地図上に表示することができる。
【０３１６】
これらのことから、実施の形態にかかる行方不明者捜索支援システム２００によれば、徘徊老人等の行方不明案件に対して迅速かつ効率的に対処することが可能となり、行方不明者の早期発見、保護を実現することができる。
【０３１７】
なお、本実施の形態で説明した行方不明者捜索支援方法は、予め用意されたプログラムをパーソナル・コンピュータやワークステーション等のコンピュータで実行することにより実現することができる。本行方不明者捜索支援プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本行方不明者捜索支援プログラムは、インターネット等のネットワークを介して配布してもよい。
【０３１８】
上述した実施の形態に関し、さらに以下の付記を開示する。
【０３１９】
（付記１）コンピュータに、
時刻情報と位置情報とを受け付け、
受け付けた前記時刻情報が示す時刻からの経過時間に応じて前記位置情報が示す位置に対して設定した範囲を示す情報を地図上に表示する際に、施設の施設情報を参照して、前記範囲内の所定の施設を強調表示する制御を行う、
処理を実行させることを特徴とする行方不明者捜索支援プログラム。
【０３２０】
（付記２）前記所定の施設は、寺社、公園、病院のいずれかであることを特徴とする付記１に記載の行方不明者捜索支援プログラム。
【０３２１】
（付記３）前記範囲は、所定の移動速度または複数の速度候補の中から選択された移動速度と前記経過時間とに基づいて設定される範囲であることを特徴とする付記１または２に記載の行方不明者捜索支援プログラム。
【０３２２】
（付記４）前記コンピュータに、
天気情報を取得する処理を実行させ、
前記制御を行う処理は、
取得した前記天気情報が雨天を示す場合に、道路の屋根情報を参照して、前記範囲内の屋根付きの道路を強調表示することを特徴とする付記１〜３のいずれか一つに記載の行方不明者捜索支援プログラム。
【０３２３】
（付記５）前記制御を行う処理は、
道路の傾斜情報を参照して、前記範囲内の急勾配の道路を強調表示することを特徴とする付記１〜４のいずれか一つに記載の行方不明者捜索支援プログラム。
【０３２４】
（付記６）前記制御を行う処理は、
道路の階段情報を参照して、前記範囲内の階段が存在する道路を強調表示することを特徴とする付記１〜５のいずれか一つに記載の行方不明者捜索支援プログラム。
【０３２５】
（付記７）前記制御を行う処理は、
道路の交通量情報を参照して、前記範囲内の交通量が多い道路を強調表示することを特徴とする付記１〜６のいずれか一つに記載の行方不明者捜索支援プログラム。
【０３２６】
（付記８）前記制御を行う処理は、
現在時刻が所定の時間帯に含まれる場合に、道路の街灯情報を参照して、前記範囲内の街灯が多い道路を強調表示することを特徴とする付記１〜７のいずれか一つに記載の行方不明者捜索支援プログラム。
【０３２７】
（付記９）前記制御を行う処理は、
バス停のバス停情報を参照して、前記範囲内のバス停を強調表示することを特徴とする付記１〜８のいずれか一つに記載の行方不明者捜索支援プログラム。
【０３２８】
（付記１０）前記制御を行う処理は、
道路の通行人情報を参照して、前記範囲内の通行人が多い道路を強調表示することを特徴とする付記１〜９のいずれか一つに記載の行方不明者捜索支援プログラム。
【０３２９】
（付記１１）前記コンピュータに、
前記施設情報を参照して、前記位置情報が示す位置からいずれかの施設までのルートを探索し、
前記経過時間に基づいて、探索した前記ルート上を所定の移動速度で移動した場合の到達位置を推定する、処理を実行させ、
前記制御を行う処理は、
推定した前記到達位置を示す情報を前記ルートとともに前記地図上に表示することを特徴とする付記１〜１０のいずれか一つに記載の行方不明者捜索支援プログラム。
【０３３０】
（付記１２）前記施設情報は、行方不明者を誘導する度合いを示す施設ごとの誘導率を含み、
前記探索する処理は、
前記位置情報が示す位置から誘導率が最大の施設までのルートを探索することを特徴とする付記１１に記載の行方不明者捜索支援プログラム。
【０３３１】
（付記１３）前記推定する処理は、
道路の傾斜情報を参照して、前記ルート上の道路の勾配に基づいて、前記到達位置を推定することを特徴とする付記１１または１２に記載の行方不明者捜索支援プログラム。
【０３３２】
（付記１４）前記推定する処理は、
道路の階段情報を参照して、前記ルート上の道路に存在する階段の長さに基づいて、前記到達位置を推定することを特徴とする付記１１〜１３のいずれか一つに記載の行方不明者捜索支援プログラム。
【０３３３】
（付記１５）前記推定する処理は、
道路の交通量情報を参照して、前記ルート上の道路の交通量に基づいて、前記到達位置を推定することを特徴とする付記１１〜１４のいずれか一つに記載の行方不明者捜索支援プログラム。
【０３３４】
（付記１６）前記コンピュータに、
天気情報を取得する処理を実行させ、
前記推定する処理は、
取得した前記天気情報が雨天を示す場合に、道路の屋根情報を参照して、前記ルート上の道路が屋根付きであるか否かに基づいて、前記到達位置を推定することを特徴とする付記１１〜１５のいずれか一つに記載の行方不明者捜索支援プログラム。
【０３３５】
（付記１７）前記推定する処理は、
現在時刻が所定の時間帯に含まれる場合に、道路の街灯情報を参照して、前記ルート上の道路に存在する街灯の数に基づいて、前記到達位置を推定することを特徴とする付記１１〜１６のいずれか一つに記載の行方不明者捜索支援プログラム。
【０３３６】
（付記１８）前記コンピュータに、
気温情報を取得する処理を実行させ、
前記推定する処理は、
取得した前記気温情報が示す気温に基づいて、前記到達位置を推定することを特徴とする付記１１〜１７のいずれか一つに記載の行方不明者捜索支援プログラム。
【０３３７】
（付記１９）前記コンピュータに、
介護スタッフの位置情報を取得する処理を実行させ、
前記制御を行う処理は、
取得した前記介護スタッフの位置情報に基づいて、前記介護スタッフの現在位置を示す情報を前記地図上に表示することを特徴とする付記１〜１８のいずれか一つに記載の行方不明者捜索支援プログラム。
【０３３８】
（付記２０）コンピュータが、
時刻情報と位置情報とを受け付け、
受け付けた前記時刻情報が示す時刻からの経過時間に応じて前記位置情報が示す位置に対して設定した範囲を示す情報を地図上に表示する際に、施設の施設情報を参照して、前記範囲内の所定の施設を強調表示する制御を行う、
処理を実行することを特徴とする行方不明者捜索支援方法。
【０３３９】
（付記２１）時刻情報と位置情報とを受け付け、
受け付けた前記時刻情報が示す時刻からの経過時間に応じて前記位置情報が示す位置に対して設定した範囲を示す情報を地図上に表示する際に、施設の施設情報を参照して、前記範囲内の所定の施設を強調表示する制御を行う、
制御部を有することを特徴とする情報処理装置。
【符号の説明】
【０３４０】
１０１  情報処理装置
２００  行方不明者捜索支援システム
２０１  サーバ
２０２  クライアント装置
５００  被監視者情報ＤＢ
６００  ランドマーク情報ＤＢ
７００  道路傾斜情報テーブル
９００  交通量・道幅情報テーブル
１０００  天気・屋根情報テーブル
１１００  気温情報テーブル
１２００  街灯情報テーブル
１３００  階段情報テーブル
１４００  通行人情報テーブル
１５００  交番等情報テーブル
１６００  バス情報テーブル
１８００  介護スタッフ位置情報テーブル
１９００  地図情報ＤＢ
２１０１  受付部
２１０２  設定部
２１０３  表示制御部
２１０４  探索部
２１０５  推定部
【図１】
0006520411.tif 000002
【図２】
0006520411.tif 000003
【図３】
0006520411.tif 000004
【図４】
0006520411.tif 000005
【図５】
0006520411.tif 000006
【図６】
0006520411.tif 000007
【図７】
0006520411.tif 000008
【図８】
0006520411.tif 000009
【図９】
0006520411.tif 000010
【図１０】
0006520411.tif 000011
【図１１】
0006520411.tif 000012
【図１２】
0006520411.tif 000013
【図１３】
0006520411.tif 000014
【図１４】
0006520411.tif 000015
【図１５】
0006520411.tif 000016
【図１６】
0006520411.tif 000017
【図１７】
0006520411.tif 000018
【図１８】
0006520411.tif 000019
【図１９】
0006520411.tif 000020
【図２０】
0006520411.tif 000021
【図２１】
0006520411.tif 000022
【図２２】
0006520411.tif 000023
【図２３】
0006520411.tif 000024
【図２４】
0006520411.tif 000025
【図２５】
0006520411.tif 000026
【図２６】
0006520411.tif 000027
【図２７】
0006520411.tif 000028
【図２８】
0006520411.tif 000029
【図２９】
0006520411.tif 000030
【図３０】
0006520411.tif 000031
【図３１】
0006520411.tif 000032
【図３２】
0006520411.tif 000033
【図３３】
0006520411.tif 000034
【図３４】
0006520411.tif 000035
【図３５】
0006520411.tif 000036
【図３６】
0006520411.tif 000037
【図３７】
0006520411.tif 000038
【図３８】
0006520411.tif 000039